(57)【特許請求の範囲】
【請求項１】
熱溶着層を有するガスバリア性の外被材と、板状の芯材とを有し、前記熱溶着層同士が対向する前記外被材の間に前記芯材が減圧密封されて成り、前記外被材の間に芯材がある部分を含めて加熱加圧することにより、対向する前記熱溶着層同士が芯材形状に沿うように熱溶着されたことを特徴とする真空断熱材。
【請求項２】
シート部材の片面または両面に固定された複数の芯材を前記シート部材と共にガスバリア性の外被材で覆い前記外被材の内部を減圧密封して成り、前記複数の芯材は、隣接する前記芯材の間に位置する部分で２方向以上の折曲線を形成できるように格子状または千鳥状に互いに所定間隔離して配置されており、前記複数の芯材のそれぞれが独立した空間内に位置するように前記芯材の周囲に前記外被材の熱溶着部が設けられたことを特徴とする真空断熱材。
【請求項３】
シート部材は、熱可塑性樹脂からなる請求項２記載の真空断熱材。
【請求項４】
複数の芯材をガスバリア性の外被材で覆い前記外被材の内部を減圧密封して成り、前記複数の芯材は、隣接する前記芯材の間に位置する部分で２方向以上の折曲線を形成できるように格子状または千鳥状に互いに所定間隔離して配置されており、前記外被材の間に芯材がある部分を含めて加熱加圧することにより、前記芯材の周囲に前記外被材の熱溶着部が設けられ前記複数の芯材のそれぞれが独立した空間内に位置していることを特徴とする真空断熱材。
【請求項５】
外周部に位置する外被材と、隣接する芯材の間に位置する部分の外被材すべてとが熱溶着されていることを特徴とする請求項２から請求項４のうちいずれか一項記載の真空断熱材。
【請求項６】
隣接する芯材の間で、且つ、熱溶着部を間に挟んで前記芯材の外周側に、外被材が熱溶着されていない非熱溶着部を有する請求項２から請求項４のうちいずれか一項記載の真空断熱材。
【請求項７】
隣接する芯材との間に所定幅の熱溶着部が残るように、外被材に孔を設けた請求項２から請求項６のうちいずれか一項記載の真空断熱材。
【請求項８】
芯材の厚み方向に貫通孔を有し、前記貫通孔部分においても、外被材の間に前記芯材がある部分を含めて加熱加圧することにより、対向する熱溶着層同士を、間に芯材がある部分を除いて、前記芯材の前記貫通孔の形状に沿うように熱溶着したことを特徴とする請求項１から請求項７のうちいずれか一項記載の真空断熱材。
【請求項９】
貫通孔は、三角形、四角形、多角形、略円形、略楕円形、Ｌ型、およびこれらの組み合わせからなる任意形状を有する請求項８記載の真空断熱材。
【請求項１０】
芯材の貫通孔部分で対向する熱溶着層同士が熱溶着している外被材には、孔を有しない請求項８又は請求項９記載の真空断熱材。
【請求項１１】
外被材の間に芯材がある部分の全てが加熱加圧されたことを特徴とする請求項１から請求項１０のうちいずれか一項記載の真空断熱材。
【請求項１２】
外被材の間に芯材がある部分の熱溶着層が、加熱加圧により溶融して、前記芯材の表面部分と結着したことを特徴とする請求項１から請求項１１のうちいずれか一項記載の真空断熱材。
【請求項１３】
熱溶着層を有するガスバリア性の外被材と、板状の芯材とを有し、前記熱溶着層同士が対向する前記外被材の間に前記芯材が減圧密封されて成り、前記芯材が減圧空間で所定の厚さに加圧圧縮された状態で、前記熱溶着層同士が芯材形状に沿うように熱溶着され、外被材の間に芯材がある部分の熱溶着層が、加熱加圧により溶融して、前記芯材の表面部分と結着したことを特徴とする真空断熱材。
【請求項１４】
外被材が、芯材に沿って所定幅の熱溶着部が残るように切断されたことを特徴とする請求項１から請求項１３のうちいずれか一項記載の真空断熱材。
【請求項１５】
外被材の切断が溶断による請求項１４記載の真空断熱材。
【請求項１６】
芯材は、三角形である請求項２から請求項７のうちいずれか一項記載の真空断熱材。
【請求項１７】
芯材は、三角形、四角形、多角形、略円形、略楕円形、Ｌ型、およびこれらの組み合わせからなる任意形状を有する請求項１から請求項１５のうちいずれか一項記載の真空断熱材。
【請求項１８】
真空断熱材の厚みが、０．５ｍｍ以上５ｍｍ以下である請求項１から請求項１７のうちいずれか一項記載の真空断熱材。
【請求項１９】
熱溶着層を有するガスバリア性の外被材の前記熱溶着層同士を対向させた間に板状の芯材を配置し、減圧下で、前記外被材の間に前記芯材がある部分を含めて熱板で加熱加圧して、対向する前記熱溶着層同士を芯材形状に沿うように熱溶着する真空断熱材の製造方法。
【請求項２０】
熱溶着層を有するガスバリア性の外被材の前記熱溶着層同士を対向させた間に板状の芯材を配置し、減圧下で、前記外被材の間に前記芯材がある部分全部を含めて熱板で加熱加圧して、対向する前記熱溶着層同士を前記芯材形状に沿うように熱溶着する真空断熱材の製造方法。
【請求項２１】
弾性体で構成された熱板を使用することを特徴とする請求項１９又は請求項２０記載の真空断熱材の製造方法。
【請求項２２】
衣料に、請求項２から請求項７と請求項１６のうちいずれか一項記載の真空断熱材を設けた防寒具。
【請求項２３】
真空断熱材は、衣料に形成された袋部に挿入される請求項２２記載の防寒具。
【請求項２４】
真空断熱材は、衣料に着脱可能に取り付けられる請求項２２又は請求項２３記載の防寒具。
【請求項２５】
本体上面にキーボードを有し、本体内部に、プリント基板と、前記プリント基板上にＣＰＵと、前記ＣＰＵの放熱を排除する放熱装置と、本体内部の配設部分に応じた形状を有する真空断熱材とを有し、前記真空断熱材は請求項１から請求項１８のうちいずれか一項記載のもので、前記ＣＰＵの真下に位置する本体底面の内側、または前記ＣＰＵの真上に位置するキーボード裏面の、少なくともどちらか一方に装着されたことを特徴とするパーソナルコンピューター。
【発明の詳細な説明】
【技術分野】
【０００１】
本発明は、パソコン等の情報機器や電子機器、保温保冷機器、防寒具等の衣料用品、および住宅部材等に使用できる、複雑な形状や折り曲げが可能な真空断熱材に関するものである。
【背景技術】
【０００２】
多孔体の芯材を、ガスバリア層と熱溶着層とを有するプラスチックラミネートフィルム製の外被材で覆って減圧封止してなる真空断熱材は、その封止技術として、封止時の信頼性、および生産性の観点から、２枚のラミネートフィルムの接合面を加熱加圧することで封止する熱溶着法が一般的に使用されている。このようにして形成する真空断熱材は、予め、プラスチックラミネートフィルム製の外被材を芯材より大きめの袋状に成形し、この袋状の外被材に芯材を挿入し、減圧後、開口部を熱溶着により封止するものである。
【０００３】
そのため、このような構成の真空断熱材の外周部の四辺端部には、外被材の熱溶着部と、芯材を間に含まず密着しただけの外被材とから構成される周縁部が形成される。真空断熱材の適用にあたっては、この周縁部をできるだけ小さくするため、従来から種々の取り組みがなされている。
【０００４】
図４０は従来の真空断熱材の製造過程を示す斜視図、図４１は従来の真空断熱材を示す斜視図である。図４０、図４１において、真空断熱材３００は、フィルム状の薄体３０１の上にコア材３０２を置き、コア材３０１を包むように薄体３０１を折り返し、この状態で薄体３０１内部を真空引きされ、折り返すことで相互に接合された薄体３０１同志を、周囲三方にて熱溶着により接着して作製される。このとき、薄体３０１の折り返される部位をコア材３０２の一端面に密着させることで、真空断熱材３００の端面３０３には、熱融着による突起３０４が形成されないことが開示されている（例えば、特許文献１参照）。
【０００５】
次に、従来の折り曲げ可能な真空断熱材について説明する。図４２は従来の真空断熱材の平面図で、図４３は同従来の真空断熱材を断熱箱体の外箱に設けた状態の断面図である。図４２において、３つの長方形の芯材３１１をガスバリア性のフィルム３１２で覆いフィルム３１２の内部を減圧して成り、３つの芯材３１１は一方向に互いに所定間隔離れて略同一面上に配置されており、３つの芯材３１１のそれぞれが独立した空間内に位置するように隣接する芯材３１１の間に位置するフィルムが熱溶着されており、隣接する芯材３１１の間に位置する熱溶着部３１３を折曲線３１４ａとして折り曲げ可能な真空断熱材３１４があった（例えば、特許文献２参照）。
【０００６】
この真空断熱材３１４は、図４３に示すように、冷蔵庫などの断熱箱体の外箱３１５の内側に設けられるものである。外箱３１５は金属板３１６をコ字状に折り曲げたものであるが、真空断熱材３１４は、コ字状に折り曲げる前の状態の金属板３１６に、金属板３１６の折曲線に真空断熱材３１４の折曲線３１４ａが対応するように接着固定されており、外箱３１５の内面となる面に真空断熱材３１４が接着固定された金属板３１６をコ字状に折り曲げることにより、図４３に示す、内面に真空断熱材３１４を備えた外箱３１５が造られる。
【特許文献１】特開平７−２６９７８１号公報
【特許文献２】特開平７−９８０９０号公報
【発明の開示】
【発明が解決しようとする課題】
【０００７】
しかしながら、特許文献１に示される従来の構成では、真空断熱材の一端面には熱溶着部が形成されないものの、残りの周囲三方には熱溶着部が存在する。また同時に、芯材を入れるため大きめに作製した袋状の外被材は、内部を減圧したときには、芯材と熱溶着部の間に芯材を間に含まない外被材のみから構成された部分が残る。そのため、芯材の周囲に形成される周縁部の幅が大きくなり、適用にあたってはこの周縁部の折り曲げ処理が必要となる等の課題を有していた。
【０００８】
また、芯材と熱溶着部の間には、芯材を間に含まない外被材のみから構成された部分が形成されるため、真空断熱材の形状が制限され、任意形状の真空断熱材を作製することが困難であった。
【０００９】
また、特許文献２に示される従来の真空断熱材は、複数の長方形の芯材が一方向に互いに所定間隔離れて略同一面上に配置されており、隣接する芯材の間に位置する熱溶着部に形成される各折曲線は、互いに略平行であるため、従来の真空断熱材を適用（接着または貼付）することのできる対象物は、平面と、横断面の形状および大きさが長手方向で変わらない物体の側面（例えば、横断面が三つ以上の角をもつ多角形の多角柱形状の物体の側面、横断面が三つ以上の角をもつ多角形の筒状の物体の内側の側面または外側の側面）に限られており、例えば防寒具の中の羽毛や綿の代わりに、上記従来の真空断熱材を使うことは困難であった。
【００１０】
本発明は、上記従来の課題を解決するもので、芯材に沿って熱溶着部を形成し、芯材の周囲に形成される周縁部を熱溶着部のみとすることで、有効断熱面積が大きくとれるとともに複雑な形状にも対応でき、また、複数芯材では芯材を適切に配置することにより折り曲げ自由度を大きくとることができることにより、適用する対象物、アプリケーションに対する適合性が優れた、きわめて用途が広い真空断熱材を低コストで提供することを目的とする。
【００１１】
また、本発明の真空断熱材を使用した防寒具およびパーソナルコンピューターを提供することを目的とする。
【課題を解決するための手段】
【００１２】
上記従来の課題を解決するために、本発明の真空断熱材は、熱溶着層を有するガスバリア性の外被材と、板状の芯材とを有し、前記熱溶着層同士が対向する前記外被材の間に前記芯材が減圧密封されて成り、前記外被材の間に芯材がある部分を含めて加熱加圧することにより、対向する前記熱溶着層同士が芯材形状に沿うように熱溶着されたものである。
【００１３】
すなわち、外被材の間の芯材を減圧後大気圧下においた形状に圧縮しながら、芯材部分を含めて、外被材を加熱加圧して熱溶着を実施するため、芯材の存在しない外被材部分すべてを溶着でき、芯材形状に沿うように熱溶着部が形成されることにより、真空断熱材の周縁部に外被材が溶着されていない無駄な部分の発生を抑制することができるものである。
【００１４】
したがって、形成した真空断熱材は、芯材と熱溶着部との間において、外被材間に芯材を含まない部分が存在していないことから、有効断熱面積を拡大することができると共に、周縁部を芯材形状に合わせることによって容易に任意形状の真空断熱材が作製できるという作用を有する。
【００１５】
また、本発明の真空断熱材の製造方法は、熱溶着層を有するガスバリア性の外被材の前
記熱溶着層同士を対向させた間に板状の芯材を配置し、減圧下で、前記外被材の間に前記芯材がある部分全部を含めて熱板で加熱加圧して、対向する前記熱溶着層同士を前記芯材形状に沿うように熱溶着するものである。
【００１６】
これによって、芯材形状に沿うように熱溶着部が形成される上に、熱溶着時は芯材部分も含めて加圧するため、芯材を圧縮した状態のままで熱溶着部が形成される。したがって、減圧封止後、大気圧下にもどした場合にも、芯材が大気圧縮により変形することなく、芯材形状に沿うように熱溶着部を形成できるという作用を有する。
【００１８】
また、本発明の真空断熱材は、複数の芯材をガスバリア性の外被材で覆い前記外被材の内部を減圧して成り、前記複数の芯材は、隣接する前記芯材の間に位置する部分で２方向以上の折曲線を形成できるように格子状または千鳥状に互いに所定間隔離して配置されており、前記外被材の間に芯材がある部分を含めて加熱加圧することにより、前記芯材の周囲に前記外被材の熱溶着部が設けられ前記複数の芯材のそれぞれが独立した空間内に位置しているものであり、複数の芯材のそれぞれが独立した空間内に位置するように前記芯材の周囲に前記外被材の熱溶着部が設けられているので、特定の芯材が入った空間の真空度が低下することが起きても他の芯材が入った空間の真空度まで低下することはなく、断熱性能の低下を最小限に抑えることができるという作用を有する。
【発明の効果】
【００１９】
本発明の真空断熱材は、芯材の周囲に形成される周縁部を熱溶着部のみとすることで、有効断熱面積が大きく、アプリケーションに対する適合性の優れた用途が広い真空断熱材を低コストで提供することができる。
【００２０】
また同時に、芯材の周囲に形成される周縁部を熱溶着部のみとすることで、任意形状に形成してきわめて用途が広い真空断熱材を低コストで提供することができる。
【００２２】
また、ガスバリア性のフィルムで覆われた複数の芯材が、隣接する前記芯材の間に位置する部分で２方向（例えば、縦方向と横方向の２方向）以上（好ましくは３方向以上）の折曲線を形成できるように格子状または千鳥状に互いに所定間隔離して配置されているので、２方向以上の方向に真空断熱材を折り曲げることができ、そのため、従来の真空断熱材よりも適用する対象物の形状に制限が少なくなる。よって、用途の広い真空断熱材を提供することができる。
【００２３】
また、本発明の真空断熱材の製造方法により、上記効果を有する真空断熱材を容易に製造することができる。
【発明を実施するための最良の形態】
【００２４】
請求項１に記載の発明は、熱溶着層を有するガスバリア性の外被材と、板状の芯材とを有し、前記熱溶着層同士が対向する前記外被材の間に前記芯材が減圧密封されて成り、前記外被材の間に芯材がある部分を含めて加熱加圧することにより、対向する前記熱溶着層同士が芯材形状に沿うように熱溶着された真空断熱材である。
【００２５】
これにより、外被材間に芯材がある部分を含めて、外被材の全面を加熱加圧して熱溶着を実施するため、芯材の存在しない外被材部分は、芯材形状に沿うように熱溶着部が形成され、外被材の非熱溶着部の発生を抑制して有効断熱面積が大きい真空断熱材を提供することができる。また、切欠き等を含めた複雑な形状に形成して、きわめて用途が広い真空断熱材を提供することができる。
【００２６】
請求項２に記載の発明は、シート部材の片面または両面に固定された複数の芯材を前記シート部材と共にガスバリア性の外被材で覆い前記外被材の内部を減圧密封して成り、前記複数の芯材は、隣接する前記芯材の間に位置する部分で２方向以上の折曲線を形成できるように格子状または千鳥状に互いに所定間隔離して配置されており、前記複数の芯材のそれぞれが独立した空間内に位置するように前記芯材の周囲に前記外被材の熱溶着部が設けられたことを特徴とする真空断熱材である。
【００２７】
上記構成において、ガスバリア性の外被材で覆われた複数の芯材は、隣接する前記芯材の間に位置する部分で２方向（例えば、縦方向と横方向の２方向）以上（好ましくは３方向以上）の折曲線を形成できるように所定間隔離して配置されているので、２方向以上の方向に真空断熱材を折り曲げることができ、そのため、従来の真空断熱材よりも適用する対象物の形状に制限が少なくなる。よって、用途の広い真空断熱材を提供できる。また、複数の芯材のそれぞれが独立した空間内に位置するように前記芯材の周囲に前記外被材の熱溶着部が設けられているので、特定の芯材が入った空間の真空度が低下することが起きても、他の芯材が入った空間の真空度まで低下することはなく、断熱性能の低下を最小限に抑えることができる。また、複数の芯材をシート部材の片面または両面の所定位置に接着固定した後、その複数の芯材を接着固定したシート部材を、一端が開口した袋状に形成された外被材の中に挿入し、減圧下で外被材の開口部を封止することにより製造できるので、複数の芯材を所定位置に固定しやすく真空断熱材の製造が容易である。
【００２８】
請求項３に記載の発明は、請求項２に記載の発明において、シート部材を、熱可塑性樹脂にした真空断熱材であり、外被材における芯材の周囲または隣接する芯材の間の部分を熱溶着した時に、外被材と一緒にシート部材を熱溶着することができるので、複数の芯材を所定位置に固定するためにシート部材を用いた場合であっても、複数の芯材のそれぞれを独立した空間内に位置させることができる。
【００２９】
請求項４に記載の発明は、複数の芯材をガスバリア性の外被材で覆い前記外被材の内部を減圧密封して成り、前記複数の芯材は、隣接する前記芯材の間に位置する部分で２方向以上の折曲線を形成できるように格子状または千鳥状に互いに所定間隔離して配置されており、前記外被材の間に芯材がある部分を含めて加熱加圧することにより、前記芯材の周囲に前記外被材の熱溶着部が設けられ前記複数の芯材のそれぞれが独立した空間内に位置していることを特徴とする真空断熱材である。
【００３０】
上記構成において、ガスバリア性の外被材で覆われた複数の芯材は、隣接する前記芯材の間に位置する部分で２方向（例えば、縦方向と横方向の２方向）以上（好ましくは３方向以上）の折曲線を形成できるように所定間隔離して配置されているので、２方向以上の方向に真空断熱材を折り曲げることができ、そのため、従来の真空断熱材よりも適用する対象物の形状に制限が少なくなる。よって、用途の広い真空断熱材を提供できる。また、複数の芯材のそれぞれが独立した空間内に位置するように前記芯材の周囲に前記外被材の熱溶着部が設けられているので、特定の芯材が入った空間の真空度が低下することが起きても、他の芯材が入った空間の真空度まで低下することはなく、断熱性能の低下を最小限に抑えることができる。また、芯材を圧縮しながら加熱することにより、芯材の周囲まで確実に熱溶着されたものとすることができる。
【００３１】
請求項５に記載の発明は、請求項２から請求項４のうちいずれか一項記載の発明において、外周部に位置する外被材と、隣接する芯材の間に位置する部分の外被材すべてとが熱溶着された真空断熱材であり、熱溶着部の幅を広く確保でき、そのため熱溶着部を通して各芯材が入った空間の真空度が低下する可能性をかなり低くできる。
【００３２】
請求項６に記載の発明は、請求項２から請求項４のうちいずれか一項記載の発明において、隣接する芯材の間で、且つ、熱溶着部を間に挟んで前記芯材の外周側に、外被材が熱溶着されていない非熱溶着部を有する真空断熱材であり、請求項２から請求項４のうちいずれか一項記載の発明の作用、効果に加えて、熱溶着部をパターン化しやすいので、溶着装置の小型化、簡略化が可能になり、溶着作業が容易に行える。
【００３３】
請求項７に記載の発明は、請求項２から請求項６のうちいずれか一項に記載の発明において、隣接する芯材との間に所定幅の熱溶着部が残るように、外被材に孔を設けた真空断熱材であり、請求項２から請求項６に記載の発明の作用、効果に加えて、真空断熱材における断熱性能の低下の影響が少ない部分に孔があいているので、真空断熱材の一方の面から他方の面に、空気や水を排出する必要がある用途や、適用箇所の都合上、物（例えば、管などの部品）を通す必要がある用途や、真空断熱材と発泡断熱材と組み合わせた複合断熱材において、製造の都合上、真空断熱材の一方の面から他方の面に、発泡断熱材を流す必要がある所にも適用できる。例えば、この真空断熱材を衣類に設けて防寒具とした場合は、この孔から、汗の蒸気を外部に放出することができ、防寒具の内側が蒸れず快適である。
【００３４】
請求項８に記載の発明は、請求項１から請求項７のうちいずれか一項に記載の発明において、芯材の厚み方向に貫通孔を有し、前記貫通孔部分においても、外被材の間に前記芯材がある部分を含めて加熱加圧することにより、対向する熱溶着層同士を前記芯材の前記貫通孔の形状に沿うように熱溶着した真空断熱材とするもので、芯材の厚み方向の貫通孔においても、芯材の存在しない外被材部分は芯材形状に沿うように熱溶着部を有する真空断熱材とすることができる。
【００３５】
請求項９に記載の発明は、請求項８に記載の発明において、貫通孔を、三角形、四角形、多角形、略円形、略楕円形、Ｌ型、およびこれらの組み合わせからなる任意形状とする構成の真空断熱材とするもので、芯材の厚み方向に設けた貫通孔の形状が任意形状であっても、芯材の存在しない外被材部分は、芯材形状に沿うように熱溶着部を有する真空断熱材とすることができるため、任意形状の貫通孔を有する真空断熱材とすることができる。
【００３６】
請求項１０に記載の発明は、請求項８又は請求項９に記載の発明において、芯材の貫通孔部分で対向する熱溶着層同士が熱溶着している外被材には、孔を有しない真空断熱材とするもので、芯材貫通孔部分の熱溶着層同士が熱溶着した外被材部にビス止め等が可能な真空断熱材とすることができる。
【００３７】
請求項１１に記載の発明は、請求項１から請求項１０のうちいずれか一項に記載の発明において、外被材の間に芯材がある部分の全てが加熱加圧された真空断熱材とするもので、真空包装後の大気開放時においても、大気圧による芯材の圧縮変形の影響を最小限とすることができ、外被材の非熱溶着部の発生を抑制することができる。よって、芯材を間に含まない外被材部分は、芯材形状に沿うように熱溶着部を有する真空断熱材とすることができる。
【００３８】
なお、加熱加圧時の加圧力を１ｋｇ／ｃｍ2以上とすることで、大気開放時の大気圧縮による芯材の圧縮変形が完全に抑制できるため、圧縮変形の大きい芯材を適用した場合にも、芯材端部は芯材形状に沿うように熱溶着部が形成される真空断熱材とすることができる。
【００３９】
請求項１２に記載の発明は、請求項１から請求項１１のうちいずれか一項に記載の発明
において、外被材の間に芯材がある部分の熱溶着層が、加熱加圧により溶融して、前記芯材の表面部分と結着した真空断熱材とするもので、外被材と芯材とのサンドイッチ構造がより強固なものとなり、剛性の高い真空断熱材とすることができる。
【００４０】
請求項１３に記載の発明は、熱溶着層を有するガスバリア性の外被材と、板状の芯材とを有し、前記熱溶着層同士が対向する前記外被材の間に前記芯材が減圧密封されて成り、前記芯材が減圧空間で所定の厚さに加圧圧縮された状態で、前記熱溶着層同士が芯材形状に沿うように熱溶着され、外被材の間に芯材がある部分の熱溶着層が、加熱加圧により溶融して、前記芯材の表面部分と結着したことを特徴とする真空断熱材である。
【００４１】
この真空断熱材は、所定の厚さに加圧圧縮された状態で芯材の存在しない外被材部分すべてを溶着して芯材形状に沿うように熱溶着部が形成されることにより、加圧を取り除いても大気圧縮による圧縮が発生しないため外被材の余分が出ることなく、外被材が溶着されない無駄な部分である非熱溶着部の発生を抑制して有効断熱面積を大きくすることができる。また、切欠き等を含めた複雑な形状に形成して、広い用途に適用することができる。また、外被材の間に芯材がある部分の熱溶着層が、加熱加圧により溶融して、前記芯材の表面部分と結着した真空断熱材とするもので、外被材と芯材とのサンドイッチ構造がより強固なものとなり、剛性の高い真空断熱材とすることができる。
【００４２】
請求項１４に記載の発明は、請求項１から請求項１３のうちいずれか一項に記載の発明において、外被材が、芯材に沿って所定幅の熱溶着部が残るように切断された真空断熱材であり、略芯材形状の真空断熱材を形成することができる。この真空断熱材は、熱溶着部以外に芯材を含まない外被材の非溶着部が殆ど無く、熱溶着部と非熱溶着部とからなる周縁部が小さいことから、有効断熱面積が大きい。また、真空断熱材は略芯材形状となり、任意形状の真空断熱材を形成することができる。更に、芯材の厚み方向に貫通孔を有し、芯材の貫通孔の形状に沿うように熱溶着している真空断熱材の熱溶着部においても、熱溶着部分が芯材との間に所定幅の熱溶着部が残るように切断することができる。
【００４３】
これにより、貫通孔部分に孔を有する真空断熱材を形成することができ、一方の面から他方の面に、空気や水を排出する必要がある用途や、適用箇所の都合上、物（例えば、管などの部品）を通す必要がある用途や、真空断熱材と発泡断熱材と組み合わせた複合断熱材において、製造の都合上、真空断熱材の一方の面から他方の面に、発泡断熱材を流す必要がある所等にも適用できると同時に、芯材の貫通孔を孔の大きさに対して熱溶着部分の幅だけを考慮してできるだけ小さくすることで、断熱性能の低下を抑制することができる。
【００４４】
請求項１５に記載の発明は、請求項１４に記載の発明において、真空断熱材の外被材の熱溶着部分の切断を、溶断により行うものである。これにより、この真空断熱材は請求項１４に記載の発明の作用、効果に加えて、熱溶着部を溶断により切断しているため、熱溶着部のラミネートフィルム溶断部端面が丸みを帯びてエッジ部を取り除くことができる。そのため、真空断熱材のラミネートフィルム端面にて、他の真空断熱材や適用するアプリケーションのハーネス等に対する傷つけ防止を図ることができる。よって、取り扱い性の優れた真空断熱材となる。
【００４５】
また、熱溶着部を溶断すると外被材を構成するラミネートフィルム最外層の樹脂が溶融し、溶融樹脂が溶断断面を被覆することから、外被材端面から経時的に侵入する侵入ガスを低減するという効果が得られる。
【００４９】
請求項１６に記載の発明は、請求項２から請求項７のうちいずれか一項に記載の発明において、芯材が、三角形である真空断熱材であり、例えば、芯材を二等辺三角形にして無駄なく効率よく配置すると、３方向に折り曲げ可能な真空断熱材ができ、芯材を直角三角形にして無駄なく効率よく配置すると、４方向に折り曲げ可能な真空断熱材ができる。なお、二等辺三角形の芯材であっても、各芯材間の間隔を広くすることにより、６方向に折り曲げ可能な真空断熱材ができるが、断熱性能は低下する。
【００５０】
請求項１７に記載の発明は、請求項１から請求項１５に記載の発明において、芯材が、三角形、四角形、多角形、略円形、略楕円形、Ｌ型、およびこれらの組み合わせからなる任意形状を有する真空断熱材とするもので、芯材形状が四角形以外の任意形状であっても、芯材の存在しない外被材部分は、芯材形状に沿うように熱溶着部を形成することができるため、任意形状の真空断熱材とすることができる。これにより、真空断熱材を配設する場所にリブやボスなどの突起等があっても形状で避けることができ、複雑な形状でも最小限の枚数で対応できる。
【００５１】
請求項１８に記載の発明は、請求項１から請求項１７のうちいずれか一項に記載の発明の真空断熱材を、厚みが０．５ｍｍ以上５ｍｍ以下とするものであり、芯材の存在しない外被材部分は、芯材が薄いほどぎりぎりまで熱溶着が確実にでき、芯材形状に沿うように熱溶着部を有する真空断熱材とすることができる。
【００５２】
なお、真空断熱材の厚みが５ｍｍを超えると周縁部にしわができるなどの不具合が発生しやすく、厚みが１０ｍｍを超えるような場合は、芯材の存在しない外被材部分は、芯材と熱溶着部の間に芯材を含まない外被材部分が形成されたり、しわの発生およびそれに伴うピンホールの発生が起こりやすくなり、芯材形状に沿うように熱溶着部を形成することがより困難になる。
【００５３】
一方、厚みが０．５ｍｍを下回ると、内部の芯材厚さが充分に確保できず、優れた断熱性能が確保することが困難になる。
【００５４】
請求項１９に記載の発明は、熱溶着層を有するガスバリア性の外被材の前記熱溶着層同士を対向させた間に板状の芯材を配置し、減圧下で、前記外被材の間に前記芯材がある部分を含めて熱板で加熱加圧して、対向する前記熱溶着層同士を芯材形状に沿うように熱溶着する真空断熱材の製造方法である。
【００５５】
上記方法では、外被材を芯材がある部分まで含めて熱板で加熱加圧することにより、芯
材の存在しない外被材部分が芯材形状に沿うように熱溶着部を有する本発明の真空断熱材を製造することができる。
【００５６】
請求項２０に記載の発明は、熱溶着層を有するガスバリア性の外被材の前記熱溶着層同士を対向させた間に板状の芯材を配置し、減圧下で、前記外被材の間に前記芯材がある部分全部を含めて熱板で加熱加圧して、対向する前記熱溶着層同士を芯材形状に沿うように熱溶着する真空断熱材の製造方法である。
【００５７】
上記方法では、請求項１９に記載の発明による真空断熱材の製造方法の作用、効果に加えて、芯材全体にわたって熱板で加熱加圧することにより芯材を圧縮しながら芯材形状に沿うように熱溶着部を形成し、真空包装後の大気開放時においても、大気圧による芯材の圧縮変形の影響を最小限とすることができる。
【００５８】
その結果、大気開放時の大気圧縮による芯材の圧縮変形が小さくなるため、圧縮変形の大きい芯材を適用した場合にも、芯材端部の外被材は芯材形状に沿うように熱溶着部が形成される真空断熱材の製造方法とすることができる。
【００５９】
請求項２１に記載の発明は、請求項１９又は請求項２０に記載した真空断熱材を製造するときの熱溶着において、弾性体で構成された熱板を使用するもので、外被材の間の芯材の有無を熱板の変形によって吸収することにより、容易に対向する熱溶着層同士を芯材形状に沿うように熱溶着することができる。また、溶着において芯材の形状に関わりなく汎用的に対応でき、きわめて容易にかつ効率よく本発明の真空断熱材を製造することができる。
【００６０】
請求項２２に記載の発明は、衣料に、請求項２から請求項７と請求項１６のうちいずれか一項に記載の真空断熱材を設けた防寒具である。２方向以上の方向に折り曲げ可能であるため、芯材の大きさを適切に選択することにより、防寒具用に適した柔軟性を確保できるので、真空断熱材の高い断熱性能を活かした薄くて断熱性能の高い防寒具を提供できる。
【００６１】
請求項２３に記載の発明は、請求項２２に記載の防寒具における真空断熱材が、衣料に形成された袋部に挿入されるものであり、真空断熱材を見えないようにでき、衣料に形成された袋部に真空断熱材を挿入するだけで、真空断熱材に損傷を与える心配なく、衣料と真空断熱材を容易に一体化でき、真空断熱材の取り外し、取り替えが比較的簡単にできる。
【００６２】
請求項２４に記載の発明は、請求項２２又は請求項２３に記載の発明の防寒具における真空断熱材が、衣料に着脱可能に取り付けられるものであり、温暖な気候になって高い断熱性が不要な時や、クリーニング時に、防寒具から真空断熱材を取り外せる。
【００６３】
請求項２５に記載の発明は、請求項１から請求項１８のうちいずれか一項に記載の真空断熱材が、プリント基板上に配設されたＣＰＵの真下に位置する本体底面の内側、またはそのＣＰＵの真上に位置するキーボード裏面の、少なくともどちらか一方に装着されたことを特徴とするパーソナルコンピューターである。
【００６４】
ところでパーソナルコンピューターは内部の発熱を本体外面で放熱しているが、性能が向上するにつれて発熱量が大きくなることでＣＰＵ近傍の本体外面の発熱が使用者に不快感を与える問題が顕著になっている。そこで、冷却装置の設置とともに、本体外面の局所的な発熱を断熱材で防ぐに当たって、複雑で任意の形状に対応でき、かつ断熱性能が高くて薄くすることができる本発明の真空断熱材は最も適したものであり、パーソナルコンピ
ューターの本体外面の発熱問題を解決することができる。
【００６５】
次に、真空断熱材の構成材料について詳細に説明する。
【００６６】
芯材に使用する材料は、気相比率９０％前後の多孔体をシート状または板状に加工したものであり、工業的に利用できるものとして、発泡体、粉体、および繊維体等がある。これらは、その使用用途や必要特性に応じて公知の材料を使用することができる。
【００６７】
このうち、発泡体としては、ウレタンフォーム、スチレンフォーム、フェノールフォーム等の連続気泡体が利用できる。また、粉体としては、無機系、有機系、およびこれらの混合物を利用できるが、工業的には、乾式シリカ、湿式シリカ、パーライト等を主成分とするものが使用できる。
【００６８】
また、繊維体としては、無機系、有機系、およびこれらの混合物が利用できるが、コストと断熱性能の観点から無機繊維が有利である。無機繊維の一例としては、グラスウール、グラスファイバー、アルミナ繊維、シリカアルミナ繊維、シリカ繊維、ロックウール等、公知の材料を使用することができる。
【００６９】
また、これら、発泡体、粉体、および繊維体等の混合物も適用することができる。
【００７０】
外被材に使用するラミネートフィルムは、最内層を熱溶着層とし、中間層にはガスバリア層として、金属箔、或いは金属蒸着層を有し、最外層には表面保護層を設けたラミネートフィルムが適用できる。また、ラミネートフィルムは、金属箔を有するラミネートフィルムと金属蒸着層を有するラミネートフィルムの２種類のラミネートフィルムを組み合わせて適用しても良い。
【００７１】
なお、熱溶着層としては、低密度ポリエチレンフィルム、鎖状低密度ポリエチレンフィルム、高密度ポリエチレンフィルム、ポリプロピレンフィルム、ポリアクリロニトリルフィルム、無延伸ポリエチレンテレフタレートフィルム、エチレン−ビニルアルコール共重合体フィルム、或いはそれらの混合体等を用いることができる。
【００７２】
表面保護層としては、ナイロンフィルム、ポリエチレンテレフタレートフィルム、ポリプロピレンフィルムの延伸加工品など、公知の材料が利用できる。
【００７３】
以下、本発明による実施の形態について、図面を参照しながら説明する。なお、この実施の形態によってこの発明が限定されるものではない。
【００７４】
（実施の形態１）
図１は、本発明の実施の形態１における多芯真空断熱材の平面図、図２は図１のＡ−Ａ線断面図である。
【００７５】
本実施の形態の真空断熱材１０は、１６個の略正八角形に成形された粉体の圧縮成形体からなる厚さ３ｍｍの芯材１１をガスバリア性のラミネートフィルムからなる外被材１２で覆い外被材１２の内部を減圧して成り、この１６個の芯材１１は、格子状に、縦（横）方向に隣接する芯材１１と横（縦）の辺が対向するように、かつ、互いに、略八角形の芯材１１の一辺の長さに芯材１１を覆う外被材１２の厚みの４倍の大きさを加えた大きさより若干大きい所定間隔で隔離して配置しており、この１６個の芯材１１のそれぞれが独立した空間内に位置するように芯材１１の周囲に外被材１２の熱溶着部１３が設けられているものである。熱溶着部１３は、略八角形の芯材１１の周囲に沿うように外被材１２に形成されている。
【００７６】
なお、この時、外被材１２のガスバリア層にはアルミ蒸着フィルムを積層したものを使用した。
【００７７】
本実施の形態では、真空断熱材１０の外被材１２は、隣接する芯材１１の間に位置する部分の外被材１２がすべて熱溶着されているので、芯材１１と熱溶着部１３の間に芯材を間に含まない外被材の非熱溶着部が存在しておらず、熱溶着部１３は芯材形状に沿うように真空断熱材１０が形成されている。
【００７８】
次に、この真空断熱材１０の製造方法の一例について説明する。
【００７９】
図３は本発明の実施の形態１における真空断熱材の製造方法で使用する真空包装機の概略断面図である。
【００８０】
図３において、気密室を構成できる真空包装機１４の内部には、長方形にカットされたガスバリア性の外被材１２ａが、熱溶着層側を上側にして真空包装機１４の供試台１５に設置されている。この供試台１５にはコンベア(図示せず)が設置されており、外被材１２ａを図中右から左へ移動させることができる。
【００８１】
外被材１２ａの上には芯材１１が配置され、その上に外被材１２ｂがその熱溶着層側が芯材１１側を向くように、かつ上下の外被材１２ａ，１２ｂの各端面がほぼ一致するように配置される。
【００８２】
真空包装機１４において、加熱加圧により熱溶着するための熱板１６は供試台１５の中央付近の上下部位に位置しており、外被材１２ａ，１２ｂを図３の手前側から奥行き側の方向に渡り熱溶着することができる位置に配置されている。
【００８３】
また、芯材１１はそれぞれが所定間隔をおいて配置されている。真空包装機１４の蓋１７を閉じて真空ポンプ１８の運転を開始すると、真空包装機１４の内部は排気され１０Ｐａ以下に減圧した後、コンベアが動いて外被材１２ａ，１２ｂを熱板１６の幅以下で所定距離移動させた後停止し、熱板１６が加熱加圧することにより外被材１２ａ，１２ｂに熱溶着部１３が形成される。
【００８４】
この操作を減圧中で繰り返すことにより、すべての芯材１１がそれぞれが独立した空間内に位置し、かつ、芯材１１の周囲に沿うように熱溶着部１３が形成された真空断熱材１０を製造することができる。
【００８５】
このように熱溶着することにより、外被材１２ａ，１２ｂ間に芯材１１がある部分の全てが加熱加圧されているため、真空包装後の大気開放時においても、大気圧による芯材１１の圧縮変形の影響を最小限とすることができる。特に、加熱加圧時の加圧力を１ｋｇ／ｃｍ2以上とすることで、大気開放時の大気圧縮による芯材１１の圧縮変形が完全に抑制できるため、圧縮変形の大きい芯材材料を適用した場合にも、芯材端部は芯材形状に沿うように熱溶着部１３を有する真空断熱材１０とすることができる。
【００８６】
また同時に、外被材１２ａ，１２ｂ間に芯材１１がある部分の全てが加熱加圧されているため、外被材１２ａ，１２ｂの間に芯材１１を挟んでいる部分の熱溶着層が加熱加圧時に溶融して芯材１１の表面部分と結着するため、外被材１２と芯材１１とのサンドイッチ構造がより強固なものとなり、剛性の高い真空断熱材１０とすることができる。
【００８７】
なお、本実施の形態では、外被材１２間に芯材１１がある部分を含めて所定回数加熱加
圧することにより、対向する外被材１２の熱溶着層同士を芯材形状に沿うように熱溶着する真空断熱材の製造法を示したが、熱板１６をガスバリア性の外被材１２ａ，１２ｂの寸法より大きくすると、熱板１６を一回だけ加熱加圧することで熱溶着部１３を形成する製造方法とすることができる。
【００８８】
また、本実施の形態では、一度に複数の芯材１１を真空包装する方法を示したが、真空包装時の芯材数量は形状等に応じて１個から任意に製造することができる。
【００８９】
また、本実施の形態による真空断熱材１０の芯材１１の形状は略八角形であるが、三角形、四角形、多角形、円形、Ｌ型、およびこれらの組み合わせからなる任意形状が選定できる。
【００９０】
（実施の形態２）
以下、本発明の実施の形態２における真空断熱材について説明するが、実施の形態１と同一構成については同一符号を付してその詳細な説明は省略する。
【００９１】
図４、図５、および図６は、本発明の実施の形態２における真空断熱材の平面図である。
【００９２】
本実施の形態の真空断熱材２０，２２，２５は、実施の形態１における真空断熱材１０の熱溶着部１３において、芯材１１との間に所定幅の熱溶着部が残るように切断して形成した真空断熱材である。
【００９３】
このうち、図４に示す真空断熱材２０は、芯材１１との間に所定幅の熱溶着部２１が残るように略芯材形状に切断して形成した真空断熱材である。
【００９４】
図５に示す真空断熱材２２は、芯材１１との間に所定幅の熱溶着部２３が残るように略芯材形状に切断し、かつその熱溶着部２３のコーナー部２４を円形に切り落としている。
【００９５】
図６に示す真空断熱材２５は、芯材形状よりも一回り大きい円形の熱溶着部２６となるように形成したものである。
【００９６】
このように本実施の形態では、真空断熱材２０，２２，２５の周縁部において非熱溶着部が存在しておらず、芯材形状に沿うように熱溶着部２１，２３，２６が形成されているため有効断熱面積が大きく、かつ任意形状の真空断熱材２０，２２，２５が成形できる。また、熱溶着部２１，２３，２６は芯材１１との間に所定幅が残るように切断されているため適用するアプリケーションに適した形状の真空断熱材とすることが可能となり、その適合性が飛躍的に改善される。
【００９７】
なお、真空断熱材２０の熱溶着部２１は、幅が５ｍｍとなるように切断している。この熱溶着部２１の幅は断熱性能の経時性能に影響する因子であり、この幅が大きいほど経時断熱性能は良好であるが、真空断熱材２０の適用環境や必要とする耐久年数に応じて任意に設定することができる。しかし、有効断熱面積を大きくするという観点から、熱溶着部２１の幅は３ｍｍ〜５ｍｍ程度に設定することが望ましい。
【００９８】
更に、熱溶着部の形状は特に指定されるものではなく、真空断熱材２２，２５のように、使用環境やアプリケーションに対する適合性に応じて任意の形状が選定できる。
【００９９】
次に、この真空断熱材２０，２２，２５の製造方法の一例について説明する。
【０１００】
まず、実施の形態１と同様の方法で、多芯真空断熱材を作製する。多芯真空断熱材において、外被材の熱溶着部分を、芯材１１との間に所定幅の熱溶着部が残存するようにトムソンやカッター等を用いて切断することで、所定の真空断熱材２０，２２，２５が作製できる。
【０１０１】
よって、真空断熱材の芯材外周部の熱溶着部により構成される周縁部は小さくなり、かつ任意の形状を有する真空断熱材が作製できる。また、このように略同一平面上に複数の芯材を互いに離間して配置する多芯真空断熱材を製造し、その後、多芯真空断熱材から所定の真空断熱材を順次切り離すことで、一回の減圧操作で、多数の真空断熱材、或いは大きさや形の異なる複数の真空断熱材を効率的に作製することができる。
【０１０２】
（実施の形態３）
以下、本発明の実施の形態３における真空断熱材について説明するが、実施の形態１または２と同一構成については同一符号を付してその詳細な説明は省略する。
【０１０３】
図７と図８は、本発明の実施の形態３における真空断熱材の平面図である。
【０１０４】
本実施の形態の真空断熱材３０と真空断熱材３５は、粉体の圧縮成形体からなる厚さ２ｍｍの板状の芯材を所定のトムソンを用いて切り抜いた四角形と円形の組み合わせからなる所定形状を有し、１乃至２箇所の貫通孔３３，３６を有する芯材３１ａ，３１ｂを、それぞれガスバリア性の外被材１２ａ，１２ｂで覆い外被材１２ａ，１２ｂの内部を減圧して成り、芯材３１ａ，３１ｂの周囲に沿うように熱溶着部３２ａを形成したものである。この時、熱溶着部３２ａは芯材の周縁部に３ｍｍの幅で残るように切断し、真空断熱材３０および真空断熱材３５を形成している。
【０１０５】
ここで、図７に示す真空断熱材３０には、貫通孔３３が形成されているが、この貫通孔３３の内周部においても芯材形状に沿うように熱溶着部３２ｂが設けられている。この時、熱溶着部３２ｂは外周と同様に芯材３１ａとの間に幅３ｍｍが残るように切断され、貫通孔３３を有する真空断熱材３０を形成している。
【０１０６】
一方、図８に示す真空断熱材３５には、芯材３１ｂに円形の貫通孔３６を２個有するが、この貫通孔３６に位置する外被材１２ｂには孔が設けられておらず、熱溶着層同士が熱溶着した外被材がそのまま残っている。
【０１０７】
これらの結果、真空断熱材３０と真空断熱材３５は、芯材３１ａ，３１ｂが四角形と円形の組み合わせからなり、適用するアプリケーションの形状に適合した複雑な形状であるが、芯材形状に沿うように熱溶着部３２ａ，３２ｂが形成されるため、略芯材形状の真空断熱材が容易に作製できる。
【０１０８】
また、図７に示す真空断熱材３０は貫通孔３３を有するため、断熱を必要とする部位にリブやその他部品等の突起部が存在する場合にも、貫通孔３３にてそれをさけることで効率良く真空断熱材３０を適用することができる。
【０１０９】
図８に示す真空断熱材３５は、芯材３１ｂの貫通孔３６の部分において、外被材１２ｂの間に芯材３１ｂを含まず、かつ、熱溶着層同士が熱溶着した外被材１２ｂを有するため、この部位をビス等で固定することができ、真空断熱材３５を容易に固定配設することができ、優れた取付け性を有するものになる。
【０１１０】
このように、断熱を必要とする機器の形状に応じて任意形状を有する真空断熱材を成形することができるため、アプリケーションに対する適合性が飛躍的に拡大する。
【０１１１】
なお、本実施の形態では厚さ２ｍｍの板状の芯材を適用しており、真空断熱材の厚さは２．１ｍｍを超えない程度であるが、真空断熱材の厚さが５ｍｍを超えるような場合、芯材の存在しない周縁部はしわなどの不具合が発生しやすくなり、厚さが１０ｍｍを超えると芯材形状に沿うように熱溶着部を形成できず、芯材と熱溶着部の間に芯材を含まない非溶着部が形成されるようになる。
【０１１２】
これは、真空断熱材の芯材厚さが大きくなるほど、熱溶着時に弾性体からなる熱板が芯材形状に追従しなくなったり、厚みに起因する外被材の余り分をきれいに処理できなくなったりするためである。
【０１１３】
一方、真空断熱材の厚さが０．５ｍｍを下回る場合は、内部の芯材厚さが充分に確保できず、優れた断熱性能が確保することが困難になる。ただし、スペースが極薄い中で、必要な断熱性能が小さいのであれば適用することは不可能ではない。
【０１１４】
（実施の形態４）
以下、本発明の実施の形態４における真空断熱材について説明するが、実施の形態１または２と同一構成については同一符号を付してその詳細な説明は省略する。
【０１１５】
図９は、本発明の実施の形態４における真空断熱材の平面図、図１０は図９のＢ−Ｂ線断面図である。
【０１１６】
本実施の形態の真空断熱材４０は、粉体の圧縮成形体からなる厚さ１ｍｍの板状の芯材を所定のトムソンを用いて切り抜いた所定形状を有する２枚の芯材４１を、ガスバリア性の外被材１２で覆い外被材１２の内部を減圧して成り、芯材４１の周囲に沿うように熱溶着部分を設け、芯材４１の周縁部に所定幅の熱溶着部４２が残るように溶断して真空断熱材４０を形成している。
【０１１７】
また、真空断熱材４０は、熱溶着部分の溶断時において、そのコーナー部４３を円形に溶断している。これにより、真空断熱材４０は、コーナー部４３のフィルムエッジ部にて、他の真空断熱材や、適用するアプリケーションのハーネス等を傷つけることがなく、その取り扱い性が大幅に改善する。更に、溶断部が内向きのＬ型となる内向きコーナー部分４４についても円形とすることで、Ｌ型コーナー部を起因とするクラックの発生が抑制され、その取り扱い性、および真空断熱材４０の信頼性が大幅に改善される。
【０１１８】
更には、真空断熱材４０は、熱溶着部分が溶断により切断されていることから、溶断部４５は、その断面が略円形状態になって丸みを帯び、他の真空断熱材や適用するアプリケーションのハーネス等に対する傷つけ防止を図ることができる。
【０１１９】
また、熱溶着部分を溶断すると外被材１２を構成するラミネートフィルム最外層の樹脂が溶融し、溶融樹脂が少なくとも溶断断面の一部を被覆することから、外被材端面から経時的に侵入する侵入ガスを低減することができる。
【０１２０】
本実施の形態の真空断熱材４０における侵入ガス量を実験的に算出した結果、溶断せずにトムソンにて切り出したものと比較して、外被材端面部から侵入する侵入ガス量は約１０％低減することが確認できた。
【０１２１】
（実施の形態５）
図１１は本発明の真空断熱材の実施の形態５を示す平面図、図１２は図１１のＣ−Ｃ線断面図である。
【０１２２】
本実施の形態の真空断熱材５０は、１６個の略正八角形に成型されたガラス繊維からなる厚さ５ｍｍ前後の芯材５１をガスバリア性の外被材５２で覆い外被材５２の内部を減圧して成り、この１６個の芯材５１は、隣接する芯材５１の間に位置する部分で、芯材５１の八角形の各辺に平行に、縦、横、斜めの４方向の折曲線５０ａ，５０ｂ，５０ｃ，５０ｄを形成できるように、格子状に、縦（横）方向に隣接する芯材５１と横（縦）の辺が対向するように、且つ、互いに略八角形の芯材５１の一辺の長さに芯材５１を覆う外被材５２の厚みの４倍の大きさを加えた大きさより若干大きい所定間隔離して配置されており、この１６個の芯材５１のそれぞれが独立した空間内に位置するように芯材５１の周囲に外被材５２の熱溶着部５３が設けられているものである。
【０１２３】
外被材５２としては、アルミ蒸着層またはアルミ箔層を中間層に有するラミネートフィルムを使用できる。また、芯材５１は、シート状のガラス繊維を重ねて多層化したものでもよい。
【０１２４】
本実施の形態の真空断熱材５０は、隣接する芯材５１の間に位置する外被材５２の熱溶着部５３で、縦方向、横方向、縦または横に対して４５度の斜め方向の４方向に曲げることができるが、縦と横方向は、斜め方向より曲げやすい。
【０１２５】
以上のように本実施の形態の真空断熱材５０は、複数の略正八角形の芯材５１をガスバリア性の外被材５２で覆い外被材５２の内部を減圧して成り、複数の芯材５１は、隣接する芯材の間に位置する部分で４方向の折曲線５０ａ，５０ｂ，５０ｃ，５０ｄを形成できるように格子状に互いに所定間隔離して配置されており、複数の芯材５１のそれぞれが独立した空間内に位置するように芯材５１の周囲に外被材５２の熱溶着部５３が設けられているので、４方向に真空断熱材５０を折り曲げることができ、そのため従来の真空断熱材よりも適用する対象物の形状に制限が少なく、用途が広い。
【０１２６】
また、特定の芯材５１が入った空間の真空度が低下することが起きても、他の芯材５１が入った空間の真空度まで低下することはなく、断熱性能の低下を最小限に抑えることができる。
【０１２７】
本実施の形態では、真空断熱材５０の外周部に位置する外被材５２と隣接する芯材５１の間に位置する部分の外被材５２がすべて熱溶着されているので、熱溶着部５３の幅が広く、そのため熱溶着部５３を通して各芯材５１が入った空間の真空度が低下する可能性をかなり低くできる。
【０１２８】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０１２９】
なお、本実施の形態の真空断熱材５０は、縦横方向にそれぞれ４つの芯材５１が並ぶものであったが、これに限定するものではない。
【０１３０】
また、真空断熱材５０の適用時は、必要な大きさ、形に切断して使用することができるが、切断時は、断熱性能の低下を最小限に止めるために、外被材５２の熱溶着部５３の部分を切断することが好ましい。
【０１３１】
（実施の形態６）
以下、本発明の実施の形態６の真空断熱材について説明するが、実施の形態５と同一構成については、同一符号を付してその詳細な説明は省略する。
【０１３２】
図１３は本発明の真空断熱材の実施の形態６を示す平面図である。
【０１３３】
本実施の形態の真空断熱材６０は、１３個の略正八角形に成型されたガラス繊維からなる厚さ５ｍｍ前後の芯材５１をガスバリア性の外被材５２で覆い外被材５２の内部を減圧して成り、この１３個の芯材５１は、隣接する芯材５１の間に位置する部分で、芯材５１の八角形の各辺に平行に、縦、横、斜めの４方向の折曲線６０ａ，６０ｂ，６０ｃ，６０ｄを形成できるように、千鳥状に、斜め４５度方向に隣接する芯材５１と斜めの辺が対向するように、且つ、互いに略八角形の芯材５１の一辺の長さに芯材５１を覆う外被材５２の厚みの４倍の大きさを加えた大きさより若干大きい所定間隔離して配置されており、この１３個の芯材５１のそれぞれが独立した空間内に位置するように芯材５１の周囲に外被材５２の熱溶着部５３が設けられているものである。
【０１３４】
本実施の形態の真空断熱材６０は、隣接する芯材５１の間に位置する外被材５２の熱溶着部５３で、縦方向、横方向、縦または横に対して４５度の斜め方向の４方向に曲げることができるが、斜め方向は、縦または横方向より曲げやすい。
【０１３５】
以上のように本実施の形態の真空断熱材６０は、複数の略正八角形の芯材５１をガスバリア性の外被材５２で覆い外被材５２の内部を減圧して成り、複数の芯材５１は、隣接する芯材の間に位置する部分で４方向の折曲線６０ａ，６０ｂ，６０ｃ，６０ｄを形成できるように千鳥状に互いに所定間隔離して配置されており、複数の芯材５１のそれぞれが独立した空間内に位置するように芯材５１の周囲に外被材５２の熱溶着部５３が設けられているので、４方向に真空断熱材６０を折り曲げることができ、そのため従来の真空断熱材よりも適用する対象物の形状に制限が少なく、用途が広い。
【０１３６】
また、特定の芯材５１が入った空間の真空度が低下することが起きても、他の芯材５１が入った空間の真空度まで低下することはなく、断熱性能の低下を最小限に抑えることができる。
【０１３７】
本実施の形態では、真空断熱材５０の外周部に位置する外被材５２と隣接する芯材５１の間に位置する部分の外被材５２がすべて熱溶着されているので、熱溶着部５３の幅が広く、そのため熱溶着部５３を通して各芯材５１が入った空間の真空度が低下する可能性をかなり低くできる。
【０１３８】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０１３９】
なお、本実施の形態の真空断熱材６０は、１３個の芯材５１が千鳥状に並ぶものであったが、これに限定するものではない。
【０１４０】
また、真空断熱材６０の適用時は、必要な大きさ、形に切断して使用することができるが、切断時は、断熱性能の低下を最小限に止めるために、外被材５２の熱溶着部５３の部分を切断することが好ましい。
【０１４１】
（実施の形態７）
以下、本発明の実施の形態７の真空断熱材について説明するが、実施の形態５と同一構成については、同一符号を付してその詳細な説明は省略する。
【０１４２】
図１４は本発明の真空断熱材の実施の形態７を示す平面図、図１５は図１４のＤ−Ｄ線
断面図である。
【０１４３】
本実施の形態の真空断熱材７０は、１６個の略正八角形に成型されたガラス繊維からなる厚さ５ｍｍ前後の芯材５１をガスバリア性の外被材５２で覆い外被材５２の内部を減圧して成り、この１６個の芯材５１は、隣接する芯材５１の間に位置する部分で、芯材５１の八角形の各辺に平行に、縦、横、斜めの４方向の折曲線を形成できるように、格子状に、縦（横）方向に隣接する芯材５１と横（縦）の辺が対向するように、且つ、互いに略八角形の芯材５１の一辺の長さに芯材５１を覆う外被材５２の厚みの４倍の大きさを加えた大きさより若干大きい所定間隔離して配置されており、この１６個の芯材５１のそれぞれが独立した空間内に位置するように芯材５１の周囲に外被材５２の熱溶着部７３が設けられ、隣接する芯材５１の間で、且つ、熱溶着部７３を間に挟んで芯材５１の外周側に、外被材５２が熱溶着されていない非熱溶着部７４を有するものである。
【０１４４】
本実施の形態の真空断熱材７０は、隣接する芯材５１の間に位置する外被材５２の部分で、縦方向、横方向、縦または横に対して４５度の斜め方向の４方向に曲げることができるが、縦と横方向は、斜め方向より曲げやすい。
【０１４５】
以上のように本実施の形態の真空断熱材７０は、複数の略正八角形の芯材５１をガスバリア性の外被材５２で覆い外被材５２の内部を減圧して成り、複数の芯材５１は、隣接する芯材の間に位置する部分で４方向の折曲線を形成できるように格子状に互いに所定間隔離して配置されており、複数の芯材５１のそれぞれが独立した空間内に位置するように芯材５１の周囲に外被材５２の熱溶着部７３が設けられているので、４方向に真空断熱材７０を折り曲げることができ、そのため従来の真空断熱材よりも適用する対象物の形状に制限が少なく、用途が広い。
【０１４６】
また、特定の芯材５１が入った空間の真空度が低下することが起きても、他の芯材５１が入った空間の真空度まで低下することはなく、断熱性能の低下を最小限に抑えることができる。
【０１４７】
また、隣接する芯材５１の間で、且つ、熱溶着部７３を間に挟んで芯材５１の外周側に、外被材５２が熱溶着されていない非熱溶着部７４を有するので、熱溶着部７３をパターン化しやすいので、溶着装置の小型化、簡略化が可能になり、溶着作業が容易に行える。
【０１４８】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０１４９】
なお、本実施の形態の真空断熱材７０は、縦横方向にそれぞれ４つの芯材５１が並ぶものであったが、これに限定するものではない。
【０１５０】
なお、図１６に示す本実施の形態の変形例の真空断熱材７０ａのように、芯材５１の周囲に設けられる外被材５２の熱溶着部７３ａは、芯材５１のそれぞれに対して独立して設けられる、芯材５１を囲む略正八角形のドーナツ形とし、熱溶着部７３ａ以外の部分の外被材５２を非熱溶着部７４ａとしても構わない。
【０１５１】
また、真空断熱材７０の適用時は、必要な大きさ、形に切断して使用することができるが、切断時は、断熱性能の低下を最小限に止めるために、外被材５２の熱溶着部７３または非熱溶着部７４の部分を切断することが好ましい。
【０１５２】
なお、図１６に示す本実施の形態の変形例の真空断熱材７０ａの切断時は、断熱性能の
低下を最小限に止めるために、外被材５２の非熱溶着部７４ａの部分を切断することが好ましい。
【０１５３】
（実施の形態８）
以下、本発明の実施の形態８の真空断熱材について説明するが、実施の形態５と同一構成については、同一符号を付してその詳細な説明は省略する。
【０１５４】
図１７は本発明の真空断熱材の実施の形態８を示す平面図、図１８は図１７のＥ−Ｅ線断面図である。
【０１５５】
本実施の形態の真空断熱材８０は、１６個の略正八角形に成型されたガラス繊維からなる厚さ５ｍｍ前後の芯材５１をガスバリア性の外被材５２で覆い外被材５２の内部を減圧して成り、この１６個の芯材５１は、隣接する芯材５１の間に位置する部分で、芯材５１の八角形の各辺に平行に、縦、横、斜めの４方向の折曲線を形成できるように、格子状に、縦（横）方向に隣接する芯材５１と横（縦）の辺が対向するように、且つ、互いに略八角形の芯材５１の一辺の長さに芯材５１を覆う外被材５２の厚みの４倍の大きさを加えた大きさより若干大きい所定間隔離して配置されており、この１６個の芯材５１のそれぞれが独立した空間内に位置するように芯材５１の周囲に外被材５２の熱溶着部８３が設けられ、さらに、隣接する芯材５１との間に所定幅の熱溶着部８３が残るように、外被材５２に円形の孔８４を設けたものである。
【０１５６】
本実施の形態の真空断熱材８０は、隣接する芯材５１の間に位置する外被材５２の熱溶着部８３で、縦方向、横方向、縦または横に対して４５度の斜め方向の４方向に曲げることができるが、縦と横方向は、斜め方向より曲げやすい。
【０１５７】
以上のように本実施の形態の真空断熱材８０は、複数の略正八角形の芯材５１をガスバリア性の外被材５２で覆い外被材５２の内部を減圧して成り、複数の芯材５１は、隣接する芯材の間に位置する部分で４方向の折曲線を形成できるように格子状に互いに所定間隔離して配置されており、複数の芯材５１のそれぞれが独立した空間内に位置するように芯材５１の周囲に外被材５２の熱溶着部８３が設けられているので、４方向に真空断熱材８０を折り曲げることができ、そのため従来の真空断熱材よりも適用する対象物の形状に制限が少なく、用途が広い。
【０１５８】
また、特定の芯材５１が入った空間の真空度が低下することが起きても、他の芯材５１が入った空間の真空度まで低下することはなく、断熱性能の低下を最小限に抑えることができる。
【０１５９】
本実施の形態では、真空断熱材８０の外周部に位置する外被材５２と隣接する芯材５１の間に位置する部分の外被材５２がすべて熱溶着されているので、熱溶着部８３の幅が広く、そのため熱溶着部８３を通して各芯材５１が入った空間の真空度が低下する可能性をかなり低くできる。
【０１６０】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０１６１】
また、本実施の形態の真空断熱材８０は、隣接する芯材５１との間に所定幅の熱溶着部８３が残るように、外被材５２に孔８４を設けたものであり、真空断熱材８０における断熱性能の低下の影響が少ない部分に孔８４があいているので、真空断熱材８０の一方の面から他方の面に、空気や水を排出する必要がある用途や、適用箇所の都合上、物（例えば
、管などの部品）を通す必要がある用途や、真空断熱材８０と発泡断熱材と組み合わせた複合断熱材において、製造の都合上、真空断熱材の一方の面から他方の面に、発泡断熱材を流す必要がある所にも適用できる。例えば、この真空断熱材８０を衣類に設けて防寒具とした場合は、この孔８４から、汗の蒸気を外部に放出することができ、防寒具の内側が蒸れず快適である。
【０１６２】
なお、本実施の形態の真空断熱材８０は、縦横方向にそれぞれ４つの芯材５１が並ぶものであったが、これに限定するものではない。
【０１６３】
また、真空断熱材８０の適用時は、必要な大きさ、形に切断して使用することができるが、切断時は、断熱性能の低下を最小限に止めるために、外被材５２の熱溶着部８３の部分を切断することが好ましい。
【０１６４】
（実施の形態９）
以下、本発明の実施の形態９の真空断熱材について説明するが、実施の形態５または３と同一構成については、同一符号を付してその詳細な説明は省略する。
【０１６５】
図１９は本発明の真空断熱材の実施の形態９を示す平面図、図２０は図１９のＦ−Ｆ線断面図である。
【０１６６】
本実施の形態の真空断熱材９０は、１６個の略正八角形に成型されたガラス繊維からなる厚さ５ｍｍ前後の芯材５１をガスバリア性の外被材５２で覆い外被材５２の内部を減圧して成り、この１６個の芯材５１は、隣接する芯材５１の間に位置する部分で、芯材５１の八角形の各辺に平行に、縦、横、斜めの４方向の折曲線を形成できるように、格子状に、縦（横）方向に隣接する芯材５１と横（縦）の辺が対向するように、且つ、互いに略八角形の芯材５１の一辺の長さに芯材５１を覆う外被材５２の厚みの４倍の大きさを加えた大きさより若干大きい所定間隔離して配置されており、この１６個の芯材５１のそれぞれが独立した空間内に位置するように芯材５１の周囲に外被材５２の熱溶着部９３が設けられ、且つ、隣接する芯材５１の間で、且つ、熱溶着部９３を間に挟んで芯材５１の外周側に、外被材５２が熱溶着されていない非熱溶着部９５を有し、隣接する芯材５１との間に所定幅の熱溶着部９３が残るように、外被材５２の非熱溶着部９５に孔９４を設けたものである。
【０１６７】
本実施の形態の真空断熱材９０は、隣接する芯材５１の間に位置する外被材５２の部分で、縦方向、横方向、縦または横に対して４５度の斜め方向の４方向に曲げることができるが、縦と横方向は、斜め方向より曲げやすい。
【０１６８】
以上のように本実施の形態の真空断熱材９０は、複数の略正八角形の芯材５１をガスバリア性の外被材５２で覆い外被材５２の内部を減圧して成り、複数の芯材５１は、隣接する芯材の間に位置する部分で４方向の折曲線を形成できるように格子状に互いに所定間隔離して配置されており、複数の芯材５１のそれぞれが独立した空間内に位置するように芯材５１の周囲に外被材５２の熱溶着部９３が設けられているので、４方向に真空断熱材９０を折り曲げることができ、そのため従来の真空断熱材よりも適用する対象物の形状に制限が少なく、用途が広い。
【０１６９】
また、特定の芯材５１が入った空間の真空度が低下することが起きても、他の芯材５１が入った空間の真空度まで低下することはなく、断熱性能の低下を最小限に抑えることができる。
【０１７０】
また、隣接する芯材５１の間で、且つ、熱溶着部９３を間に挟んで芯材５１の外周側に
、外被材５２が熱溶着されていない非熱溶着部９５を有するので、熱溶着部９３をパターン化しやすいので、溶着装置の小型化、簡略化が可能になり、溶着作業が容易に行える。
【０１７１】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０１７２】
また、本実施の形態の真空断熱材９０は、隣接する芯材５１との間に所定幅の熱溶着部９３が残るように、外被材５２に孔９４を設けたものであり、真空断熱材９０における断熱性能の低下の影響が少ない部分に孔９４があいているので、真空断熱材９０の一方の面から他方の面に、空気や水を排出する必要がある用途や、適用箇所の都合上、物（例えば、管などの部品）を通す必要がある用途や、真空断熱材９０と発泡断熱材と組み合わせた複合断熱材において、製造の都合上、真空断熱材の一方の面から他方の面に発泡断熱材を流す必要がある所にも適用できる。例えば、この真空断熱材９０を衣類に設けて防寒具とした場合は、この孔９４から、汗の蒸気を外部に放出することができ、防寒具の内側が蒸れず快適である。
【０１７３】
なお、本実施の形態の真空断熱材９０は、縦横方向にそれぞれ４つの芯材５１が並ぶものであったが、これに限定するものではない。
【０１７４】
また、芯材５１の周囲に設けられる外被材５２の熱溶着部９３は、芯材５１のそれぞれに対して独立して設けられる、芯材５１を囲む略正八角形のドーナツ形であっても構わない。
【０１７５】
また、孔９４の縁は、外被材５２の密封性向上のため、熱溶着されていることが好ましく、孔９４を取付け等に利用する場合は、孔９４の縁から外被材５２が破損しないように、孔９４の縁を補強することが好ましい。
【０１７６】
また、真空断熱材９０の適用時は、必要な大きさ、形に切断して使用することができるが、切断時は、断熱性能の低下を最小限に止めるために、外被材５２の熱溶着部９３または非熱溶着部９５の部分を切断することが好ましい。
【０１７７】
（実施の形態１０）
以下、本発明の実施の形態１０の真空断熱材について説明するが、実施の形態５と同一構成については、同一符号を付してその詳細な説明は省略する。
【０１７８】
図２１は本発明の真空断熱材の実施の形態１０を示す平面図、図２２は図２１のＧ−Ｇ線断面図である。
【０１７９】
本実施の形態の真空断熱材１００は、１６個の略正八角形に成型されたガラス繊維からなる厚さ５ｍｍ前後の芯材５１を熱可塑性樹脂からなるシート部材１０４の片面に接着固定した状態でガスバリア性の外被材５２で覆い外被材５２の内部を減圧して成り、この１６個の芯材５１は、隣接する芯材５１の間に位置する部分で、芯材５１の八角形の各辺に平行に、縦、横、斜めの４方向の折曲線を形成できるように、格子状に、縦（横）方向に隣接する芯材５１と横（縦）の辺が対向するように、且つ、互いに略八角形の芯材５１の一辺の長さに芯材５１を覆う外被材５２の厚みの４倍の大きさを加えた大きさより若干大きい所定間隔離して配置されており、この１６個の芯材５１のそれぞれが独立した空間内に位置するように芯材５１の周囲に外被材５２の熱溶着部１０３が設けられ、熱溶着部１０３では外被材５２とシート部材１０４が熱溶着されているものである。
【０１８０】
本実施の形態の真空断熱材１００は、隣接する芯材５１の間に位置する外被材５２の熱溶着部１０３で、縦方向、横方向、縦または横に対して４５度の斜め方向の４方向に曲げることができるが、縦と横方向は、斜め方向より曲げやすい。
【０１８１】
以上のように本実施の形態の真空断熱材１００は、複数の略正八角形の芯材５１を熱可塑性樹脂からなるシート部材１０４の片面に接着固定した状態でガスバリア性の外被材５２で覆い外被材５２の内部を減圧して成り、複数の芯材５１は、隣接する芯材の間に位置する部分で４方向の折曲線を形成できるように格子状に互いに所定間隔離して配置されており、複数の芯材５１のそれぞれが独立した空間内に位置するように芯材５１の周囲に外被材５２の熱溶着部１０３が設けられているので、４方向に真空断熱材１００を折り曲げることができ、そのため従来の真空断熱材よりも適用する対象物の形状に制限が少なく、用途が広い。
【０１８２】
また、本実施の形態の真空断熱材１００は、複数の芯材５１をシート部材１０４の片面の所定位置に接着固定した後、その複数の芯材５１を接着固定したシート部材１０４を、一端が開口した袋状に形成された外被材５２の中に挿入し、減圧下で外被材５２の開口部を封止することにより製造できるので、複数の芯材５１を所定位置に固定しやすく真空断熱材１００の製造が容易である。
【０１８３】
また、シート部材１０４が熱可塑性樹脂からなるので、外被材５２における隣接する芯材５１の間の部分を熱溶着した時に、外被材５２と一緒にシート部材１０４を熱溶着することができるので、複数の芯材５１を所定位置に固定するためにシート部材１０４を用いた場合であっても、複数の芯材５１のそれぞれを独立した空間内に位置させることができる。
【０１８４】
また、特定の芯材５１が入った空間の真空度が低下することが起きても、他の芯材５１が入った空間の真空度まで低下することはなく、断熱性能の低下を最小限に抑えることができる。
【０１８５】
本実施の形態では、真空断熱材１００の外周部に位置する外被材５２と隣接する芯材５１の間に位置する部分の外被材５２がすべて熱溶着されているので、熱溶着部１０３の幅が広く、そのため熱溶着部１０３を通して各芯材５１が入った空間の真空度が低下する可能性をかなり低くできる。
【０１８６】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０１８７】
なお、本実施の形態の真空断熱材１００は、縦横方向にそれぞれ４つの芯材５１が並ぶものであったが、これに限定するものではない。
【０１８８】
また、芯材５１をシート部材１１４の両面に対向するように接着固定しても構わない。
【０１８９】
また、真空断熱材１００の適用時は、必要な大きさ、形に切断して使用することができるが、切断時は、断熱性能の低下を最小限に止めるために、外被材５２の熱溶着部１０３の部分を切断することが好ましい。
【０１９０】
（実施の形態１１）
以下、本発明の実施の形態１１の真空断熱材について説明するが、実施の形態５と同一構成については、同一符号を付してその詳細な説明は省略する。
【０１９１】
図２３は本発明の真空断熱材の実施の形態１１を示す平面図、図２４は図２３のＨ−Ｈ線断面図である。
【０１９２】
本実施の形態の真空断熱材１１０は、１６個の略正八角形に成型されたガラス繊維からなる厚さ５ｍｍ前後の芯材５１を熱可塑性樹脂からなるシート部材１１４の片面に接着固定した状態でガスバリア性の外被材５２で覆い外被材５２の内部を減圧して成り、この１６個の芯材５１は、隣接する芯材５１の間に位置する部分で、芯材５１の八角形の各辺に平行に、縦、横、斜めの４方向の折曲線を形成できるように、格子状に、縦（横）方向に隣接する芯材５１と横（縦）の辺が対向するように、且つ、互いに略八角形の芯材５１の一辺の長さに芯材５１を覆う外被材５２の厚みの４倍の大きさを加えた大きさより若干大きい所定間隔離して配置されており、この１６個の芯材５１のそれぞれが独立した空間内に位置するように芯材５１の周囲に外被材５２の熱溶着部１１３が設けられ、隣接する芯材５１の間で、且つ、熱溶着部１１３を間に挟んで芯材５１の外周側に外被材５２が熱溶着されていない非熱溶着部１１５を有するたものである。
【０１９３】
本実施の形態の真空断熱材１１０は、隣接する芯材５１の間に位置する外被材５２の部分で、縦方向、横方向、縦または横に対して４５度の斜め方向の４方向に曲げることができるが、縦と横方向は、斜め方向より曲げやすい。
【０１９４】
以上のように本実施の形態の真空断熱材１１０は、複数の略正八角形の芯材５１を熱可塑性樹脂からなるシート部材１１４の片面に接着固定した状態でガスバリア性の外被材５２で覆い外被材５２の内部を減圧して成り、複数の芯材５１は、隣接する芯材の間に位置する部分で４方向の折曲線を形成できるように格子状に互いに所定間隔離して配置されており、複数の芯材５１のそれぞれが独立した空間内に位置するように芯材５１の周囲に外被材５２の熱溶着部１１３が設けられているので、４方向に真空断熱材１１０を折り曲げることができ、そのため従来の真空断熱材よりも適用する対象物の形状に制限が少なく、用途が広い。
【０１９５】
また、本実施の形態の真空断熱材１１０は、複数の芯材５１をシート部材１１４の片面の所定位置に接着固定した後、その複数の芯材５１を接着固定したシート部材１１４を、一端が開口した袋状に形成された外被材５２の中に挿入し、減圧下で外被材５２の開口部を封止することにより製造できるので、複数の芯材５１を所定位置に固定しやすく真空断熱材１１０の製造が容易である。
【０１９６】
また、シート部材１１４が熱可塑性樹脂からなるので、外被材５２における隣接する芯材５１の間の部分を熱溶着した時に、外被材５２と一緒にシート部材１１４を熱溶着することができるので、複数の芯材５１を所定位置に固定するためにシート部材１１４を用いた場合であっても、複数の芯材５１のそれぞれを独立した空間内に位置させることができる。
【０１９７】
また、特定の芯材５１が入った空間の真空度が低下することが起きても、他の芯材５１が入った空間の真空度まで低下することはなく、断熱性能の低下を最小限に抑えることができる。
【０１９８】
また、隣接する芯材５１の間で、且つ、熱溶着部１１３を間に挟んで芯材５１の外周側に、外被材５２が熱溶着されていない非熱溶着部１１５を有するので、熱溶着部１１３をパターン化しやすいので、溶着装置の小型化、簡略化が可能になり、溶着作業が容易に行える。
【０１９９】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０２００】
なお、本実施の形態の真空断熱材１１０は、縦横方向にそれぞれ４つの芯材５１が並ぶものであったが、これに限定するものではない。
【０２０１】
また、芯材５１の周囲に設けられる外被材５２の熱溶着部１１３は、芯材５１のそれぞれに対して独立して設けられる、芯材５１を囲む略正八角形のドーナツ形であっても構わない。
【０２０２】
また、芯材５１をシート部材１１４の両面に対向するように接着固定しても構わない。
【０２０３】
また、真空断熱材１１０の適用時は、必要な大きさ、形に切断して使用することができるが、切断時は、断熱性能の低下を最小限に止めるために、外被材５２の熱溶着部１１３または非熱溶着部１１５の部分を切断することが好ましい。
【０２０４】
（実施の形態１２）
以下、本発明の実施の形態１２の真空断熱材について説明するが、実施の形態５と同一構成については、同一符号を付してその詳細な説明は省略する。
【０２０５】
図２５は本発明の真空断熱材の実施の形態１２を示す平面図、図２６は図２５のＩ−Ｉ線断面図である。
【０２０６】
本実施の形態の真空断熱材１２０は、１６個の略正八角形に成型されたガラス繊維からなる厚さ５ｍｍ前後の芯材５１を熱可塑性樹脂からなるシート部材１２４の片面に接着固定した状態でガスバリア性の外被材５２で覆い外被材５２の内部を減圧して成り、この１６個の芯材５１は、隣接する芯材５１の間に位置する部分で、芯材５１の八角形の各辺に平行に、縦、横、斜めの４方向の折曲線を形成できるように、格子状に、縦（横）方向に隣接する芯材５１と横（縦）の辺が対向するように、且つ、互いに略八角形の芯材５１の一辺の長さに芯材５１を覆う外被材５２の厚みの４倍の大きさを加えた大きさより若干大きい所定間隔離して配置されており、この１６個の芯材５１のそれぞれが独立した空間内に位置するように芯材５１の周囲に外被材５２の熱溶着部１２３が設けられ、さらに、隣接する芯材５１との間に所定幅の熱溶着部１２３が残るように外被材５２に円形の孔１２５を設けたものである。
【０２０７】
本実施の形態の真空断熱材１２０は、隣接する芯材５１の間に位置する外被材５２の熱溶着部１２３で、縦方向、横方向、縦または横に対して４５度の斜め方向の４方向に曲げることができるが、縦と横方向は、斜め方向より曲げやすい。
【０２０８】
以上のように本実施の形態の真空断熱材１２０は、複数の略正八角形の芯材５１を熱可塑性樹脂からなるシート部材１２４の片面に接着固定した状態でガスバリア性の外被材５２で覆い外被材５２の内部を減圧して成り、複数の芯材５１は、隣接する芯材の間に位置する部分で４方向の折曲線を形成できるように格子状に互いに所定間隔離して配置されており、複数の芯材５１のそれぞれが独立した空間内に位置するように芯材５１の周囲に外被材５２の熱溶着部１２３が設けられているので、４方向に真空断熱材１２０を折り曲げることができ、そのため従来の真空断熱材よりも適用する対象物の形状に制限が少なく、用途が広い。
【０２０９】
また、本実施の形態の真空断熱材１２０は、複数の芯材５１をシート部材１２４の片面
の所定位置に接着固定した後、その複数の芯材５１を接着固定したシート部材１２４を、一端が開口した袋状に形成された外被材５２の中に挿入し、減圧下で外被材５２の開口部を封止することにより製造できるので、複数の芯材５１を所定位置に固定しやすく真空断熱材１２０の製造が容易である。
【０２１０】
また、シート部材１２４が熱可塑性樹脂からなるので、外被材５２における隣接する芯材５１の間の部分を熱溶着した時に、外被材５２と一緒にシート部材１２４を熱溶着することができるので、複数の芯材５１を所定位置に固定するためにシート部材１２４を用いた場合であっても、複数の芯材５１のそれぞれを独立した空間内に位置させることができる。
【０２１１】
また、特定の芯材５１が入った空間の真空度が低下することが起きても、他の芯材５１が入った空間の真空度まで低下することはなく、断熱性能の低下を最小限に抑えることができる。
【０２１２】
本実施の形態では、真空断熱材１２０の外周部に位置する外被材５２と隣接する芯材５１の間に位置する部分の外被材５２がすべて熱溶着されているので、熱溶着部１２３の幅が広く、そのため熱溶着部１２３を通して各芯材５１が入った空間の真空度が低下する可能性をかなり低くできる。
【０２１３】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０２１４】
また、本実施の形態の真空断熱材１２０は、隣接する芯材５１との間に所定幅の熱溶着部１２３が残るように、外被材５２に孔１２５を設けたものであり、真空断熱材１２０における断熱性能の低下の影響が少ない部分に孔１２５があいているので、真空断熱材１２０の一方の面から他方の面に、空気や水を排出する必要がある用途や、適用箇所の都合上、物（例えば、管などの部品）を通す必要がある用途や、真空断熱材１２０と発泡断熱材と組み合わせた複合断熱材において、製造の都合上、真空断熱材の一方の面から他方の面に、発泡断熱材を流す必要がある所にも適用できる。例えば、この真空断熱材１２０を衣類に設けて防寒具とした場合は、この孔１２５から、汗の蒸気を外部に放出することができ、防寒具の内側が蒸れず快適である。
【０２１５】
なお、本実施の形態の真空断熱材１２０は、縦横方向にそれぞれ４つの芯材５１が並ぶものであったが、これに限定するものではない。
【０２１６】
また、真空断熱材１２０の適用時は、必要な大きさ、形に切断して使用することができるが、切断時は、断熱性能の低下を最小限に止めるために、外被材５２の熱溶着部１２３の部分を切断することが好ましい。
【０２１７】
（実施の形態１３）
以下、本発明の実施の形態１３の真空断熱材について説明するが、実施の形態５と同一構成については、同一符号を付してその詳細な説明は省略する。
【０２１８】
図２７は本発明の真空断熱材の実施の形態１３を示す平面図、図２８は図２７のＪ−Ｊ線断面図である。
【０２１９】
本実施の形態の真空断熱材１３０は、１６個の略正八角形に成型されたガラス繊維からなる厚さ５ｍｍ前後の芯材５１を熱可塑性樹脂からなるシート部材１３４の片面に接着固
定した状態でガスバリア性の外被材５２で覆い外被材５２の内部を減圧して成り、この１６個の芯材５１は、隣接する芯材５１の間に位置する部分で、芯材５１の八角形の各辺に平行に、縦、横、斜めの４方向の折曲線を形成できるように、格子状に、縦（横）方向に隣接する芯材５１と横（縦）の辺が対向するように、且つ、互いに略八角形の芯材５１の一辺の長さに芯材５１を覆う外被材５２の厚みの４倍の大きさを加えた大きさより若干大きい所定間隔離して配置されており、この１６個の芯材５１のそれぞれが独立した空間内に位置するように芯材５１の周囲に外被材５２の熱溶着部１３３が設けられ、且つ、隣接する芯材５１の間で、且つ、熱溶着部１３３を間に挟んで芯材５１の外周側に、外被材５２が熱溶着されていない非熱溶着部１３６を有し、且つ、隣接する芯材５１との間に所定幅の熱溶着部１３３が残るように外被材５２の非熱溶着部１３６に孔１３５を設けたものである。
【０２２０】
本実施の形態の真空断熱材１３０は、隣接する芯材５１の間に位置する外被材５２の部分で、縦方向、横方向、縦または横に対して４５度の斜め方向の４方向に曲げることができるが、縦と横方向は、斜め方向より曲げやすい。
【０２２１】
以上のように本実施の形態の真空断熱材１３０は、複数の略正八角形の芯材５１を熱可塑性樹脂からなるシート部材１３４の片面に接着固定した状態でガスバリア性の外被材５２で覆い外被材５２の内部を減圧して成り、複数の芯材５１は、隣接する芯材の間に位置する部分で４方向の折曲線を形成できるように格子状に互いに所定間隔離して配置されており、複数の芯材５１のそれぞれが独立した空間内に位置するように芯材５１の周囲に外被材５２の熱溶着部１３３が設けられているので、４方向に真空断熱材１３０を折り曲げることができ、そのため従来の真空断熱材よりも適用する対象物の形状に制限が少なく、用途が広い。
【０２２２】
また、本実施の形態の真空断熱材１３０は、複数の芯材５１をシート部材１３４の片面の所定位置に接着固定した後、その複数の芯材５１を接着固定したシート部材１３４を、一端が開口した袋状に形成された外被材５２の中に挿入し、減圧下で外被材５２の開口部を封止することにより製造できるので、複数の芯材５１を所定位置に固定しやすく真空断熱材１３０の製造が容易である。
【０２２３】
また、シート部材１３４が熱可塑性樹脂からなるので、外被材５２における隣接する芯材５１の間の部分を熱溶着した時に、外被材５２と一緒にシート部材１３４を熱溶着することができるので、複数の芯材５１を所定位置に固定するためにシート部材１３４を用いた場合であっても、複数の芯材５１のそれぞれを独立した空間内に位置させることができる。
【０２２４】
また、特定の芯材５１が入った空間の真空度が低下することが起きても、他の芯材５１が入った空間の真空度まで低下することはなく、断熱性能の低下を最小限に抑えることができる。
【０２２５】
また、隣接する芯材５１の間で、且つ、熱溶着部１３３を間に挟んで芯材５１の外周側に、外被材５２が熱溶着されていない非熱溶着部１３６を有するので、熱溶着部１３３をパターン化しやすいので、溶着装置の小型化、簡略化が可能になり、溶着作業が容易に行える。
【０２２６】
また、芯材５１の形状を、略正八角形にしたので、４方向に折り曲げ可能な真空断熱材としては、芯材５１の占める面積の割合が大きいため、比較的断熱性能が高い。したがって、柔軟性と断熱性能のバランスが良い。
【０２２７】
また、本実施の形態の真空断熱材１３０は、隣接する芯材５１との間に所定幅の熱溶着部１３３が残るように、外被材５２に孔１３５を設けたものであり、真空断熱材１３０における断熱性能の低下の影響が少ない部分に孔１３５があいているので、真空断熱材１３０の一方の面から他方の面に、空気や水を排出する必要がある用途や、適用箇所の都合上、物（例えば、管などの部品）を通す必要がある用途や、真空断熱材１３０と発泡断熱材と組み合わせた複合断熱材において、製造の都合上、真空断熱材の一方の面から他方の面に、発泡断熱材を流す必要がある所にも適用できる。例えば、この真空断熱材１３０を衣類に設けて防寒具とした場合は、この孔１３５から、汗の蒸気を外部に放出することができ、防寒具の内側が蒸れず快適である。
【０２２８】
なお、本実施の形態の真空断熱材１３０は、縦横方向にそれぞれ４つの芯材５１が並ぶものであったが、これに限定するものではない。
【０２２９】
また、芯材５１の周囲に設けられる外被材５２の熱溶着部１３３は、芯材５１のそれぞれに対して独立して設けられる、芯材５１を囲む略正八角形のドーナツ形であっても構わない。
【０２３０】
また、孔１３５の縁は、外被材５２の密封性向上のため、熱溶着されていることが好ましく、孔１３５を取付け等に利用する場合は、孔１３５の縁から外被材５２が破損しないように、孔１３５の縁を補強することが好ましい。
【０２３１】
また、真空断熱材１３０の適用時は、必要な大きさ、形に切断して使用することができるが、切断時は、断熱性能の低下を最小限に止めるために、外被材５２の熱溶着部１３３または非熱溶着部１３６の部分を切断することが好ましい。
【０２３２】
（実施の形態１４）
以下、本発明の実施の形態１４の真空断熱材について説明するが、実施の形態５と同一構成については、同一符号を付してその詳細な説明は省略する。
【０２３３】
図２９は本発明の真空断熱材の実施の形態１４を示す平面図である。
【０２３４】
本実施の形態の真空断熱材１４０は、１６個の略正六角形に成型されたガラス繊維からなる厚さ５ｍｍ前後の芯材１４１をガスバリア性の外被材５２で覆い外被材５２の内部を減圧して成り、この１６個の芯材１４１は、２つの辺が横方向に平行になるように配置され、隣接する芯材１４１の間に位置する部分で、芯材１４１の六角形の各辺に垂直に、縦と、縦に対して左右６０度の斜めの３方向の折曲線１４０ａ，１４０ｂ，１４０ｃを形成できるように、千鳥状（蜂の巣状）に、隣接する芯材１４１と辺が対向するように、且つ、互いに略六角形の芯材１４１の一辺の長さの約０．８７倍に芯材１４１を覆う外被材５２の厚みの４倍の大きさを加えた大きさより若干大きい所定間隔離して配置されており、この１６個の芯材１４１のそれぞれが独立した空間内に位置するように芯材１４１の周囲に略正六角形のドーナツ状の外被材５２の熱溶着部１４３が設けられているものである。
【０２３５】
本実施の形態の真空断熱材１４０は、隣接する芯材１４１の間に位置する外被材５２の熱溶着部１４３で、縦方向と、縦に対して左右６０度の斜め方向の３方向に曲げることができる。
【０２３６】
以上のように本実施の形態の真空断熱材１４０は、複数の略正六角形の芯材１４１をガスバリア性の外被材５２で覆い外被材５２の内部を減圧して成り、複数の芯材１４１は、隣接する芯材１４１の間に位置する部分で３方向の折曲線１４０ａ，１４０ｂ，１４０ｃを形成できるように千鳥状に互いに所定間隔離して配置されており、複数の芯材１４１の
それぞれが独立した空間内に位置するように芯材１４１の周囲に略正六角形のドーナツ状の外被材５２の熱溶着部１４３が設けられているので、３方向に真空断熱材１４０を折り曲げることができ、そのため従来の真空断熱材よりも適用する対象物の形状に制限が少なく、用途が広い。
【０２３７】
また、特定の芯材１４１が入った空間の真空度が低下することが起きても、他の芯材１４１が入った空間の真空度まで低下することはなく、断熱性能の低下を最小限に抑えることができる。
【０２３８】
本実施の形態では、真空断熱材１４０の外周部に位置する外被材５２と隣接する芯材１４１の間に位置する部分の外被材５２がすべて熱溶着されているので、熱溶着部１４３の幅が広く、そのため熱溶着部１４３を通して各芯材１４１が入った空間の真空度が低下する可能性をかなり低くできる。
【０２３９】
また、熱溶着部１４３を、略正六角形のドーナツ状パターンの繰り返し、または蜂の巣状にパターン化しやすいので、溶着装置の小型化、簡略化が可能になり、溶着作業が容易に行える。
【０２４０】
なお、複数の略正六角形の芯材１４１は、熱可塑性樹脂からなるシート部材の片面に接着固定した状態でガスバリア性の外被材５２で覆っても構わない。
【０２４１】
また、真空断熱材１４０の適用時は、必要な大きさ、形に切断して使用することができるが、切断時は、断熱性能の低下を最小限に止めるために、外被材５２の熱溶着部１４３の部分を切断することが好ましい。
【０２４２】
（実施の形態１５）
以下、本発明の実施の形態１５の真空断熱材について説明するが、実施の形態５と同一構成については、同一符号を付してその詳細な説明は省略する。
【０２４３】
図３０は本発明の真空断熱材の実施の形態１５を示す平面図である。
【０２４４】
本実施の形態の真空断熱材１５０は、１６個の略正六角形に成型されたガラス繊維からなる厚さ５ｍｍ前後の芯材１５１をガスバリア性の外被材５２で覆い外被材５２の内部を減圧して成り、この１６個の芯材１５１は、２つの辺が縦方向に平行になるように配置され、隣接する芯材１５１の間に位置する部分で、芯材１５１の六角形の各辺に平行に、縦と、縦に対して左右６０度の斜めの３方向の折曲線１５０ａ，１５０ｂ，１５０ｃを形成できるように、千鳥状に、隣接する芯材１５１と角が対向するように、所定間隔離して配置されており、この１６個の芯材１５１のそれぞれが独立した空間内に位置するように芯材１５１の周囲に外被材５２の熱溶着部１５３が設けられ、さらに、隣接する芯材１５１との間に所定幅の熱溶着部１５３が残るように、隣接する３つの芯材１５１の間に位置する外被材５２の熱溶着部１５３に円形の孔１５４を有するものである。
【０２４５】
本実施の形態の真空断熱材１５０は、隣接する芯材１５１の間に位置する外被材５２の熱溶着部１５３で、縦方向と、縦に対して左右６０度の斜め方向の３方向に曲げることができる。
【０２４６】
以上のように本実施の形態の真空断熱材１５０は、複数の略正六角形の芯材１５１をガスバリア性の外被材５２で覆い外被材５２の内部を減圧して成り、複数の芯材１５１は、隣接する芯材１５１の間に位置する部分で３方向の折曲線１５０ａ，１５０ｂ，１５０ｃを形成できるように千鳥状に互いに所定間隔離して配置されており、複数の芯材１５１の
それぞれが独立した空間内に位置するように芯材１５１の周囲に外被材５２の熱溶着部１５３が設けられているので、３方向に真空断熱材１５０を折り曲げることができ、そのため従来の真空断熱材よりも適用する対象物の形状に制限が少なく、用途が広い。
【０２４７】
また、特定の芯材１５１が入った空間の真空度が低下することが起きても、他の芯材１５１が入った空間の真空度まで低下することはなく、断熱性能の低下を最小限に抑えることができる。
【０２４８】
本実施の形態では、真空断熱材１５０の外周部に位置する外被材５２と隣接する芯材１５１の間に位置する部分の外被材５２がすべて熱溶着されているので、熱溶着部１５３の幅が広く、そのため熱溶着部１５３を通して各芯材１５１が入った空間の真空度が低下する可能性をかなり低くできる。
【０２４９】
本実施の形態は、１６個の芯材１５１を、２つの辺が縦方向に平行になるように配置し、隣接する芯材１５１の間に位置する部分で、芯材１５１の六角形の各辺に平行に、縦と、縦に対して左右６０度の斜めの３方向の折曲線１５０ａ，１５０ｂ，１５０ｃを形成できるように、千鳥状に、隣接する芯材１５１と角が対向するように、所定間隔離して配置したので、実施の形態１４の配置（２つの辺が横方向に平行になるように配置し、隣接する芯材の間に位置する部分で、芯材の六角形の各辺に垂直に、縦と、縦に対して左右６０度の斜めの３方向以上の折曲線を形成できるように、千鳥状に、隣接する芯材と辺が対向するように、所定間隔離して配置）よりも、芯材１５１の間隔を狭くして、芯材１５１の占める面積の割合を大きくできるため、比較的断熱性能を高くできる。
【０２５０】
また、本実施の形態の真空断熱材１５０は、隣接する芯材１５１との間に所定幅の熱溶着部１５３が残るように、外被材５２に孔１５４を設けたものであり、真空断熱材１５０における断熱性能の低下の影響が少ない部分に孔１５４があいているので、真空断熱材１５０の一方の面から他方の面に、空気や水を排出する必要がある用途や、適用箇所の都合上、物（例えば、管などの部品）を通す必要がある用途や、真空断熱材１５０と発泡断熱材と組み合わせた複合断熱材において、製造の都合上、真空断熱材の一方の面から他方の面に発泡断熱材を流す必要がある所にも適用できる。例えば、この真空断熱材１５０を衣類に設けて防寒具とした場合は、この孔１５４から、汗の蒸気を外部に放出することができ、防寒具の内側が蒸れず快適である。
【０２５１】
また、本実施の形態は、実施の形態８のように、複数の略正八角形の芯材を格子状に配置し隣接する４つの芯材の間に位置する外被材５２の熱溶着部に孔を設ける場合よりも、孔１５４の数を多くできる。
【０２５２】
なお、複数の略正六角形の芯材１５１は、熱可塑性樹脂からなるシート部材の片面に接着固定した状態でガスバリア性の外被材５２で覆っても構わない。
【０２５３】
また、真空断熱材１５０の適用時は、必要な大きさ、形に切断して使用することができるが、切断時は、断熱性能の低下を最小限に止めるために、外被材５２の熱溶着部１５３の部分を切断することが好ましい。
【０２５４】
（実施の形態１６）
以下、本発明の実施の形態１６の真空断熱材について説明するが、実施の形態５と同一構成については、同一符号を付してその詳細な説明は省略する。
【０２５５】
図３１は本発明の真空断熱材の実施の形態１６を示す平面図である。
【０２５６】
本実施の形態の真空断熱材１６０は、２８個の略正六角形に成型されたガラス繊維からなる厚さ５ｍｍ前後の芯材１６１をガスバリア性の外被材５２で覆い外被材５２の内部を減圧して成り、この２８個の芯材１６１は、２つの辺が縦方向に平行になるように配置され、隣接する芯材１６１の間に位置する部分で、芯材１６１の六角形の各辺に平行に、縦と、縦に対して左右６０度の斜めの３方向の折曲線１６０ａ，１６０ｂ，１６０ｃを形成できるように、所定間隔離れて隣接する芯材１６１の辺同士が対向するように略正六角形の芯材１６１を６つ環状に並べたものを１組として、各組を千鳥状に、所定間隔離して配置されており、この２８個の芯材１６１のそれぞれが独立した空間内に位置するように芯材１６１の周囲に外被材５２の熱溶着部１６３が設けられ、さらに、隣接する芯材１６１との間に所定幅の熱溶着部１６３が残るように、各組の環状に配置された６つの芯材１６１の間に位置する外被材５２の熱溶着部１６３に円形の孔１６４を有するものである。
【０２５７】
本実施の形態の真空断熱材１６０は、隣接する芯材の間に位置する外被材５２の熱溶着部１６３で、縦方向と、縦に対して左右６０度の斜め方向の３方向に曲げることができる。
【０２５８】
以上のように本実施の形態の真空断熱材１６０は、複数の略正六角形の芯材１６１をガスバリア性の外被材５２で覆い外被材５２の内部を減圧して成り、複数の芯材１６１は、隣接する芯材１６１の間に位置する部分で３方向の折曲線１６０ａ，１６０ｂ，１６０ｃを形成できるように環状に配置された６つ一組の芯材１６１（辺同士が対向するように所定間隔離れて横に並ぶ２つ一組の芯材１６１）を千鳥状に互いに所定間隔離して配置されており、複数の芯材１６１のそれぞれが独立した空間内に位置するように芯材１６１の周囲に外被材５２の熱溶着部１６３が設けられているので、３方向に真空断熱材１６０を折り曲げることができ、そのため、従来の真空断熱材よりも適用する対象物の形状に制限が少なく、用途が広い。
【０２５９】
また、特定の芯材１６１が入った空間の真空度が低下することが起きても、他の芯材１６１が入った空間の真空度まで低下することはなく、断熱性能の低下を最小限に抑えることができる。
【０２６０】
本実施の形態では、真空断熱材１６０の外周部に位置する外被材５２と隣接する芯材１６１の間に位置する部分の外被材５２がすべて熱溶着されているので、熱溶着部１６３の幅が広く、そのため熱溶着部１６３を通して各芯材１６１が入った空間の真空度が低下する可能性をかなり低くできる。
【０２６１】
本実施の形態では、複数の芯材１６１を、２つの辺が縦方向に平行になる向きで配置し、隣接する芯材１６１の間に位置する部分で、芯材１６１の六角形の各辺に平行に、縦と、縦に対して左右６０度の斜めの３方向の折曲線１６０ａ，１６０ｂ，１６０ｃを形成できるように、所定間隔離れて隣接する芯材１６１の辺同士が対向するように略正六角形の芯材１６１を６つ環状に並べたものを１組として、各組を千鳥状に、所定間隔離して配置したので、芯材１６１の占める面積の割合を大きくでき、比較的断熱性能を高くできる。
【０２６２】
また、本実施の形態の真空断熱材１６０は、隣接する芯材１６１との間に所定幅の熱溶着部１６３が残るように、外被材５２に孔１６４を設けたものであり、真空断熱材１６０における断熱性能の低下の影響が少ない部分に孔１６４があいているので、真空断熱材１６０の一方の面から他方の面に、空気や水を排出する必要がある用途や、適用箇所の都合上、物（例えば、管などの部品）を通す必要がある用途や、真空断熱材１６０と発泡断熱材と組み合わせた複合断熱材において、製造の都合上、真空断熱材の一方の面から他方の面に発泡断熱材を流す必要がある所にも適用できる。例えば、この真空断熱材１６０を衣類に設けて防寒具とした場合は、この孔１６４から、汗の蒸気を外部に放出することがで
き、防寒具の内側が蒸れず快適である。
【０２６３】
本実施の形態では、孔１６４の大きさを、実施の形態１５よりも大きく、芯材１６１の略正六角形に内接する円の大きさまで大きくすることができるが、実施の形態１５とは逆に、孔１６４をあけることのできる位置が少なくなる。
【０２６４】
なお、複数の略正六角形の芯材１６１は、熱可塑性樹脂からなるシート部材の片面に接着固定した状態でガスバリア性の外被材５２で覆っても構わない。
【０２６５】
また、真空断熱材１６０の適用時は、必要な大きさ、形に切断して使用することができるが、切断時は、断熱性能の低下を最小限に止めるために、外被材５２の熱溶着部１６３の部分を切断することが好ましい。
【０２６６】
（実施の形態１７）
以下、本発明の実施の形態１７の真空断熱材について説明するが、実施の形態５と同一構成については、同一符号を付してその詳細な説明は省略する。
【０２６７】
図３２は本発明の真空断熱材の実施の形態１７を示す平面図である。
【０２６８】
本実施の形態の真空断熱材１７０は、１６個の略正方形に成型されたガラス繊維からなる厚さ５ｍｍ前後の芯材１７１をガスバリア性の外被材５２で覆い外被材５２の内部を減圧して成り、この１６個の芯材１７１は、隣接する芯材１７１の間に位置する部分で、芯材１７１の正方形の各辺に平行に、縦、横の２方向の折曲線１７０ａ，１７０ｂを形成できるように、格子状に、縦（横）方向に隣接する芯材１７１と横（縦）の辺が対向するように、所定間隔離して配置されており、この１６個の芯材１７１のそれぞれが独立した空間内に位置するように芯材１７１の周囲に外被材５２の熱溶着部１７３が設けられているものである。
【０２６９】
以上のように本実施の形態の真空断熱材１７０は、複数の略正方形の芯材１７１をガスバリア性の外被材５２で覆い外被材５２の内部を減圧して成り、複数の芯材１７１は、隣接する芯材１７１の間に位置する部分で２方向の折曲線１７０ａ，１７０ｂを形成できるように格子状に互いに所定間隔離して配置されており、複数の芯材１７１のそれぞれが独立した空間内に位置するように芯材１７１の周囲に外被材５２の熱溶着部１７３が設けられているので、２方向に真空断熱材１７０を折り曲げることができ、そのため従来の真空断熱材よりも適用する対象物の形状に制限が少なく、用途が広い。
【０２７０】
また、特定の芯材１７１が入った空間の真空度が低下することが起きても、他の芯材１７１が入った空間の真空度まで低下することはなく、断熱性能の低下を最小限に抑えることができる。
【０２７１】
本実施の形態の熱溶着部１７３のパターンは、所定間隔離れた所定幅の複数の縦線と所定間隔離れた所定幅の複数の横線と外周枠とからなるので、溶着装置の小型化、簡略化が可能になり、溶着作業が容易に行える。
【０２７２】
本実施の形態では、真空断熱材１７０の外周部に位置する外被材５２と隣接する芯材１７１の間に位置する部分の外被材５２がすべて熱溶着されているので、熱溶着部１７３の幅が広く、そのため熱溶着部１７３を通して各芯材１７１が入った空間の真空度が低下する可能性をかなり低くできる。
【０２７３】
また、芯材１７１の形状を、略正方形（長方形）にしたので、２方向に折り曲げ可能な
真空断熱材としては、芯材１７１の占める面積の割合が大きいため、比較的断熱性能が高い。したがって、柔軟性と断熱性能のバランスが良い。
【０２７４】
なお、本実施の形態の真空断熱材１７０は、縦横方向にそれぞれ４つの芯材１７１が並ぶものであったが、これに限定するものではない。
【０２７５】
なお、複数の略正方形の芯材１７１は、熱可塑性樹脂からなるシート部材の片面に接着固定した状態でガスバリア性の外被材５２で覆っても構わない。
【０２７６】
また、真空断熱材１７０の適用時は、必要な大きさ、形に切断して使用することができるが、切断時は、断熱性能の低下を最小限に止めるために、外被材５２の熱溶着部１７３の部分を切断することが好ましい。
【０２７７】
（実施の形態１８）
以下、本発明の実施の形態１８の真空断熱材について説明するが、実施の形態５と同一構成については、同一符号を付してその詳細な説明は省略する。
【０２７８】
図３３は本発明の真空断熱材の実施の形態１８を示す平面図である。
【０２７９】
本実施の形態の真空断熱材１８０は、１３個の略正方形に成型されたガラス繊維からなる厚さ５ｍｍ前後の芯材１８１をガスバリア性の外被材５２で覆い外被材５２の内部を減圧して成り、この１３個の芯材１８１は、隣接する芯材１８１の間に位置する部分で、縦、横、斜めの４方向の折曲線１８０ａ，１８０ｂ，１８０ｃ，１８０ｄを形成できるように、千鳥状に、斜め４５度方向に隣接する芯材１８１と角が対向するように、所定間隔離して配置されており、この１３個の芯材１８１のそれぞれが独立した空間内に位置するように芯材１８１の周囲に外被材５２の熱溶着部１８３が設けられ、隣接する芯材１８１の間で、且つ、熱溶着部１８３を間に挟んで芯材１８１の外周側に、外被材５２が熱溶着されていない非熱溶着部１８４を有するものである。
【０２８０】
本実施の形態の真空断熱材１８０は、隣接する芯材１８１の間に位置する外被材５２の熱溶着部１８３で、縦方向、横方向、縦または横に対して４５度の斜め方向の４方向に曲げることができるが、斜め方向は、縦または横方向より曲げやすい。
【０２８１】
以上のように本実施の形態の真空断熱材１８０は、複数の略正方形の芯材１８１をガスバリア性の外被材５２で覆い外被材５２の内部を減圧して成り、複数の芯材１８１は、隣接する芯材１８１の間に位置する部分で４方向の折曲線１８０ａ，１８０ｂ，１８０ｃ，１８０ｄを形成できるように千鳥状に互いに所定間隔離して配置されており、複数の芯材１８１のそれぞれが独立した空間内に位置するように芯材１８１の周囲に前記フィルムの熱溶着部が設けられているので、４方向に真空断熱材１８０を折り曲げることができ、そのため従来の真空断熱材よりも適用する対象物の形状に制限が少なく、用途が広い。
【０２８２】
また、特定の芯材１８１が入った空間の真空度が低下することが起きても、他の芯材１８１が入った空間の真空度まで低下することはなく、断熱性能の低下を最小限に抑えることができる。
【０２８３】
また、４つの隣接する芯材１８１の間で、且つ、熱溶着部１８３を間に挟んで芯材１８１の外周側に、外被材５２が熱溶着されていない非熱溶着部１８４を有しており、熱溶着部１８３のパターンは、実施の形態１７と同様に、所定間隔離れた所定幅の複数の縦線と所定間隔離れた所定幅の複数の横線と外周枠とからなる単純なパターンなので、溶着装置の小型化、簡略化が可能になり、溶着作業が容易に行える。
【０２８４】
本実施の形態の真空断熱材１８０は、実施の形態１７の真空断熱材１７０と比較して、芯材１８１の占める面積の割合が半分になるが、折曲線１８０ａ，１８０ｂ，１８０ｃ，１８０ｄを形成できる方向の数は、実施の形態１７の真空断熱材１７０の２方向の倍の４方向になる。
【０２８５】
なお、必要であれば、本実施の形態における４つの芯材に囲まれた非熱溶着部１８４に、孔を設けても構わない。その場合、この孔は、４つの隣接する芯材１８１との間に所定幅の熱溶着部１８３が残るように、外被材５２に設けられるので、真空断熱材１８０における断熱性能の低下の影響が少ない。
【０２８６】
本実施の形態の真空断熱材１８０における４つの芯材１８１に囲まれた非熱溶着部１８３に孔を設けた場合は、真空断熱材１８０の一方の面から他方の面に、空気や水を排出する必要がある用途や、適用箇所の都合上、物（例えば、管などの部品）を通す必要がある用途や、真空断熱材１８０と発泡断熱材と組み合わせた複合断熱材において、製造の都合上、真空断熱材の一方の面から他方の面に、発泡断熱材を流す必要がある所にも適用できる。例えば、この孔を設けた真空断熱材１８０を衣類に設けて防寒具とした場合は、この孔から、汗の蒸気を外部に放出することができ、防寒具の内側が蒸れず快適である。
【０２８７】
なお、本実施の形態の真空断熱材１８０は、１３個の芯材１８１が千鳥状に並ぶものであったが、これに限定するものではない。
【０２８８】
なお、複数の略正方形の芯材１８１は、熱可塑性樹脂からなるシート部材の片面に接着固定した状態でガスバリア性の外被材５２で覆っても構わない。
【０２８９】
また、真空断熱材１８０の適用時は、必要な大きさ、形に切断して使用することができるが、切断時は、断熱性能の低下を最小限に止めるために、外被材５２の熱溶着部１８３または非熱溶着部１８４の部分を切断することが好ましい。
【０２９０】
（実施の形態１９）
以下、本発明の実施の形態１９の真空断熱材について説明するが、実施の形態５と同一構成については、同一符号を付してその詳細な説明は省略する。
【０２９１】
図３４は本発明の真空断熱材の実施の形態１９を示す平面図である。
【０２９２】
本実施の形態の真空断熱材１９０は、３２個の略正三角形に成型されたガラス繊維からなる厚さ５ｍｍ前後の芯材１９１をガスバリア性の外被材５２で覆い外被材５２の内部を減圧して成り、この３２個の芯材は１９１、隣接する芯材１９１の間に位置する部分で、芯材１９１の三角形の各辺に平行に、横（０度の方向）と横に対して約６０度、約１２０度の斜めの３方向の折曲線１９０ａ，１９０ｂ，１９０ｃを形成できるように、千鳥状に、隣接する芯材１９１と辺が対向するように、所定間隔離して配置されており、この３２個の芯材１９１のそれぞれが独立した空間内に位置するように芯材１９１の周囲に外被材５２の熱溶着部１９３が設けられているものである。
【０２９３】
以上のように本実施の形態の真空断熱材１９０は、複数の略正三角形の芯材１９１をガスバリア性の外被材５２で覆い外被材５２の内部を減圧して成り、複数の芯材１９１は、隣接する芯材１９１の間に位置する部分で３方向の折曲線１９０ａ，１９０ｂ，１９０ｃを形成できるように千鳥状に互いに所定間隔離して配置されており、複数の芯材１９１のそれぞれが独立した空間内に位置するように芯材１９１の周囲に外被材５２の熱溶着部１９３が設けられているので、３方向に真空断熱材１９０を折り曲げることができ、そのた
め従来の真空断熱材よりも適用する対象物の形状に制限が少なく、用途が広い。
【０２９４】
また、特定の芯材１９１が入った空間の真空度が低下することが起きても、他の芯材１９１が入った空間の真空度まで低下することはなく、断熱性能の低下を最小限に抑えることができる。
【０２９５】
本実施の形態では、真空断熱材１９０の外周部に位置する外被材５２と隣接する芯材１９１の間に位置する部分の外被材５２がすべて熱溶着されているので、熱溶着部１９３の幅が広く、そのため熱溶着部１９３を通して各芯材１９１が入った空間の真空度が低下する可能性をかなり低くできる。
【０２９６】
また、真空断熱材１９０の外周部を除く、隣接する芯材１９１の間に位置する熱溶着部１９３は、所定間隔離れた所定幅の複数の横線と所定間隔離れた所定幅の複数の約６０度の斜め線と所定間隔離れた所定幅の複数の約１２０度の斜め線とからなる単純なパターンなので、溶着装置の小型化、簡略化が可能になり、溶着作業が容易に行える。
【０２９７】
本実施の形態の真空断熱材１９０は、芯材１９１の占める面積の割合を比較的多くできる。
【０２９８】
なお、本実施の形態の真空断熱材１９０は、３２個の芯材１７１が千鳥状に並ぶものであったが、これに限定するものではない。
【０２９９】
なお、複数の略正三角形の芯材は、熱可塑性樹脂からなるシート部材の片面に接着固定した状態でガスバリア性の外被材５２で覆っても構わない。
【０３００】
また、真空断熱材１９０の適用時は、必要な大きさ、形に切断して使用することができるが、切断時は、断熱性能の低下を最小限に止めるために、外被材５２の熱溶着部１９３の部分を切断することが好ましい。
【０３０１】
（実施の形態２０）
以下、本発明の実施の形態２０の真空断熱材について説明するが、実施の形態５と同一構成については、同一符号を付してその詳細な説明は省略する。
【０３０２】
図３５は本発明の真空断熱材の実施の形態２０を示す平面図である。
【０３０３】
本実施の形態の真空断熱材２００は、３２個の略直角二等辺三角形に成型されたガラス繊維からなる厚さ５ｍｍ前後の芯材２０１をガスバリア性の外被材５２で覆い外被材５２の内部を減圧して成り、この３２個の芯材２０１は、隣接する芯材２０１の間に位置する部分で、芯材２０１の直角二等辺三角形の各辺に平行に、縦、横、縦または横に対して４５度の斜めの４方向の折曲線２００ａ，２００ｂ，２００ｃ，２００ｄを形成できるように、２つの芯材２０１を略正方形になるように組み合わせたもの（４つの芯材２０１を略正方形を４５度回転させた形になるように直角の角をつきあわせるように組み合わせたもの）を、千鳥状に、隣接する芯材２０１と辺が対向するように、所定間隔離して配置されており、この３２個の芯材２０１のそれぞれが独立した空間内に位置するように芯材２０１の周囲にフィルムの熱溶着部２０３が設けられているものである。
【０３０４】
本実施の形態では、所定間隔離れて隣接する２つの略直角二等辺三角形の芯材２０１を、略正方形になるように、長辺が対向するように組み合わせ、所定間隔離れて隣接する４つの略直角二等辺三角形の芯材２０１を、略正方形になるように、略直角の角が集まるように組み合わせている。
【０３０５】
以上のように本実施の形態の真空断熱材２００は、複数の略直角二等辺三角形の芯材２０１をガスバリア性の外被材５２で覆い外被材５２の内部を減圧して成り、複数の芯材２０１は、隣接する芯材２０１の間に位置する部分で４方向の折曲線２００ａ，２００ｂ，２００ｃ，２００ｄを形成できるように、２つの芯材２０１を略正方形になるように組み合わせたもの（４つの芯材２０１を略正方形を４５度回転させた形になるように直角の角をつきあわせるように組み合わせたもの）を、千鳥状に互いに所定間隔離して配置されており、複数の芯材２０１のそれぞれが独立した空間内に位置するように芯材２０１の周囲にフィルムの熱溶着部２０３が設けられているので、４方向に真空断熱材２００を折り曲げることができ、そのため従来の真空断熱材よりも適用する対象物の形状に制限が少なく、用途が広い。
【０３０６】
また、特定の芯材２０１が入った空間の真空度が低下することが起きても、他の芯材２０１が入った空間の真空度まで低下することはなく、断熱性能の低下を最小限に抑えることができる。
【０３０７】
本実施の形態では、真空断熱材２００の外周部に位置する外被材５２と隣接する芯材２０１の間に位置する部分の外被材５２がすべて熱溶着されているので、熱溶着部２０３の幅が広く、そのため熱溶着部２０３を通して各芯材２０１が入った空間の真空度が低下する可能性をかなり低くできる。
【０３０８】
また、真空断熱材２００の外周部を除く、隣接する芯材２０１の間に位置する熱溶着部２０３は、所定間隔離れた所定幅の複数の縦線と所定間隔離れた所定幅の複数の横線と所定間隔離れた所定幅の複数の約４５度の斜め線と所定間隔離れた所定幅の複数の約１３５度の斜め線とからなる単純なパターンなので、溶着装置の小型化、簡略化が可能になり、溶着作業が容易に行える。
【０３０９】
本実施の形態の真空断熱材２００は、芯材２０１の占める面積の割合を比較的多くできる。
【０３１０】
なお、本実施の形態の真空断熱材２００は、３２個の芯材２０１が千鳥状に並ぶものであったが、これに限定するものではない。
【０３１１】
なお、複数の略直角二等辺三角形の芯材２０１は、熱可塑性樹脂からなるシート部材の片面に接着固定した状態でガスバリア性の外被材５２で覆っても構わない。
【０３１２】
また、真空断熱材２００の適用時は、必要な大きさ、形に切断して使用することができるが、切断時は、断熱性能の低下を最小限に止めるために、外被材５２の熱溶着部２０３の部分を切断することが好ましい。
【０３１３】
本実施の形態の真空断熱材２００は、縦横の折曲線の間隔を斜め４５度の折曲線の間隔より狭くしているが、縦横の折曲線の間隔を斜め４５度の折曲線の間隔より広くしたい場合は、本実施の形態の真空断熱材２００を正（反時計回り）方向または負（時計回り）方向に４５度回転させた配列の芯材２０１を用いる。
【０３１４】
また、真空断熱材２００の適用時は、必要な大きさ、形に切断して使用することができるが、切断時は、断熱性能の低下を最小限に止めるために、外被材５２の熱溶着部２０３の部分を切断することが好ましい。
【０３１５】
（実施の形態２１）
以下、本発明の実施の形態２１の真空断熱材を用いた防寒具について説明するが、実施の形態５と同一構成については、同一符号を付してその詳細な説明は省略する。
【０３１６】
図３６は本発明の真空断熱材を用いた防寒具の実施の形態２１を示す正面図、図３７は同実施の形態の真空断熱材を用いた防寒具の背面図である。
【０３１７】
本実施の形態の防寒具２１０は、衣料としてのジャケット２１１の中に、芯材の数と大きさとフィルムの形状をジャケット２１１用に調整した実施の形態５の真空断熱材５０を設けたものである。
【０３１８】
真空断熱材５０は、所定の大きさの長方形の真空断熱材を製造した後に、ジャケット２１１に合わせて切断したものでも構わない。その場合、切断されて役に立たない部分の芯材を最初からフィルム内に配置しないようにして真空断熱材５０を製造しても構わない。
【０３１９】
ここで、真空断熱材５０は、４方向に折り曲げ可能であるため、芯材の大きさを適切に選択することにより、動きやすい防寒具用に適した柔軟性を確保できるので、真空断熱材の高い断熱性能を活かした薄くて断熱性能の高い防寒具を提供できる。
【０３２０】
なお、真空断熱材５０が、ジャケット２１１に形成された袋部に挿入されるようにすると、真空断熱材５０を見えないようにでき、ジャケット２１１に形成された袋部に真空断熱材５０を挿入するだけで、真空断熱材５０に損傷を与える心配なく、ジャケット２１１と真空断熱材５０を容易に一体化でき、真空断熱材５０の取り外し、取り替えが比較的簡単にできる。
【０３２１】
また、真空断熱材５０が、マジックテープ（登録商標）、ファスナー、ボタン、フォックその他の係止具により、ジャケット２１１に着脱可能に取り付けられるようにすると、温暖な気候になって高い断熱性が不要な時や、クリーニング時に、防寒具から真空断熱材を取り外せて便利である。
【０３２２】
本実施の形態の防寒具は、実施の形態５の真空断熱材５０を用いたが、実施の形態６から２０のいずれかの真空断熱材を用いても良く、通気性が必要であれば、実施の形態８、９、１２、１３、１５、１６のような孔のあいた真空断熱材を用いることができる。孔のあいた真空断熱材を用いた場合は、この孔から、汗の蒸気を外部に放出することができ、防寒具の内側が蒸れず快適である。
【０３２３】
なお、本実施の形態では、ジャケットで説明したが、他の衣類にも適用可能である。
【０３２４】
（実施の形態２２）
図３８は、本発明の実施の形態２２によるパーソナルコンピューターの側面図、図３９は本発明の実施の形態２２によるパーソナルコンピューターを上から見た透視図である。
【０３２５】
本実施の形態のパーソナルコンピューター２２０は、いわゆるノート型と称される形態で、本体の上面にキーボード２２１を有し、内部にはプリント基板２２２上にＣＰＵ２２３とその他各チップを実装している。ＣＰＵ２２３は冷却装置２２４で発熱から保護され、冷却装置２２４はＣＰＵ２２３に接する伝熱ブロック２２５、熱を移送するヒートパイプ２２６、移送された熱をパーソナルコンピューター２２０より強制的に放熱するヒートシンク２２７とファン２２８により構成される。放熱板２２９は内部の熱を拡散し、かつ本体底面２３０に伝えて放熱する。真空断熱材２３１は、ＣＰＵ２２３の真下で本体底面２３０の内側、およびＣＰＵ２２３の真上のキーボード裏面２２１ａに接着剤で密着させて装着している。
【０３２６】
この真空断熱材２３１は、本発明の実施の形態３に準じて任意の形状に作製したものである。材料は、芯材として湿式シリカ粉末の圧縮成形体をトムソンで切り抜いたもの、外被材として表面保護層にポリエチレンテレフタレートフィルム、ガスバリア層にエチレンビニルアルコール共重合体樹脂フィルムにアルミ蒸着を施したもの、熱溶着層に高密度ポリエチレンを使用している。真空断熱材２３１の内圧は１３３．３Ｐａで、厚さは２ｍｍ、大きさは９５ｍｍ×５０ｍｍの長方形の中で、リブを避けるために２箇所に切欠き２３１ａを設けたものとしている。この真空断熱材２３１の熱伝導率を測定したところ０．００８０Ｗ／ｍＫであった。
【０３２７】
このように構成されたパーソナルコンピューター２２０の表面温度を測定したところ、真空断熱材未装着時より、ＣＰＵ２２３の真下の本体底面２３０で約４Ｋ低減させることができ、ＣＰＵ２２３の真上のキーボードで約３．５Ｋ低減させることができた。さらに本体底面全体でも２Ｋ以上低減させることができた。
【０３２８】
これはリブを避けられずに５０ｍｍ×５０ｍｍの大きさの真空断熱材しか装着できないと想定した場合には、ＣＰＵ２２３の真下の本体底面２３０で約１．５Ｋ、ＣＰＵ２２３の真上のキーボードで約１Ｋの温度低減しか観測されなかったのと比較して大きな効果が得られ、利用者がパーソナルコンピューターを長時間膝の上において作業した場合の底面から受ける熱による不快感や、利用者が作業中キーボード上に手を置いたときに受ける熱による不快感を減らすことができる。
【０３２９】
なお、真空断熱材２３１を装着する位置は、局所発熱を起こすものならばＣＰＵ２２３に限らず、本体底面２３０の内側には放熱等のために放熱板２２９やアルミの蒸着が全面に施されている場合もあるが、真空断熱材２３１の装着はこれらの上でもかまわない。
【産業上の利用可能性】
【０３３０】
以上のように、本発明にかかる真空断熱材は、芯材の周囲に形成される芯材を含まない外被材の周縁部において、非熱溶着部がなく熱溶着部だけで小さな幅に抑制できるため、真空断熱材の断熱有効面積が拡大すると共に、周縁部を処理する必要性も小さくなり、また、複雑な形状の形成も可能であり、真空断熱材を容易にかつ広範囲に適用することが可能となる。
【０３３１】
よって、省エネを必要とする保温保冷機器に留まらず、情報機器や電子機器等、省スペースを必要とする機器の熱害対策用断熱材等の用途にも適用できる。
【０３３２】
また、複数の芯材の大きさを適切に選択して柔軟性を確保することにより、より用途が広い真空断熱材とすることができ、防寒具としてのジャケットのほか、ズボンや帽子、手袋、または寝具のふとんや座布団等にも適用できる。
【図面の簡単な説明】
【０３３３】
【図１】本発明の実施の形態１における多芯真空断熱材の平面図
【図２】図１のＡ−Ａ線断面図
【図３】同実施の形態の真空断熱材の製造に使用する真空包装機の概略断面図
【図４】本発明の実施の形態２における真空断熱材の平面図
【図５】実施の形態２の変形例の真空断熱材の平面図
【図６】実施の形態２の別の変形例の真空断熱材の平面図
【図７】本発明の実施の形態３における真空断熱材の平面図
【図８】実施の形態３の変形例の真空断熱材の平面図
【図９】本発明の実施の形態４における真空断熱材の平面図
【図１０】図９のＢ−Ｂ線断面図
【図１１】本発明の実施の形態５における真空断熱材の平面図
【図１２】図１１のＣ−Ｃ線断面図
【図１３】本発明の実施の形態６における真空断熱材の平面図
【図１４】本発明の実施の形態７における真空断熱材の平面図
【図１５】図１４のＤ−Ｄ線断面図
【図１６】実施の形態７の変形例の真空断熱材の平面図
【図１７】本発明の実施の形態８における真空断熱材の平面図
【図１８】図１７のＥ−Ｅ線断面図
【図１９】本発明の実施の形態９における真空断熱材の平面図
【図２０】図１９のＦ−Ｆ線断面図
【図２１】本発明の実施の形態１０における真空断熱材の平面図
【図２２】図２１のＧ−Ｇ線断面図
【図２３】本発明の実施の形態１１における真空断熱材の平面図
【図２４】図２３のＨ−Ｈ線断面図
【図２５】本発明の実施の形態１２における真空断熱材の平面図
【図２６】図２５のＩ−Ｉ線断面図
【図２７】本発明の実施の形態１３における真空断熱材の平面図
【図２８】図２７のＪ−Ｊ線断面図
【図２９】本発明の実施の形態１４における真空断熱材の平面図
【図３０】本発明の実施の形態１５における真空断熱材の平面図
【図３１】本発明の実施の形態１６における真空断熱材の平面図
【図３２】本発明の実施の形態１７における真空断熱材の平面図
【図３３】本発明の実施の形態１８における真空断熱材の平面図
【図３４】本発明の実施の形態１９における真空断熱材の平面図
【図３５】本発明の実施の形態２０における真空断熱材の平面図
【図３６】本発明の真空断熱材を用いた防寒具の実施の形態２１を示す正面図
【図３７】同実施の形態の防寒具の背面図
【図３８】本発明の実施の形態２２によるパーソナルコンピューターの側面図
【図３９】同実施の形態のパーソナルコンピューターを上から見た透視図
【図４０】特許文献１に示される従来の真空断熱材の製造過程を示す斜視図
【図４１】同従来の真空断熱材を示す斜視図
【図４２】特許文献２に示される従来の真空断熱材の平面図
【図４３】同従来の真空断熱材を断熱箱体の外箱に設けた状態の断面図
【符号の説明】
【０３３４】
１０  真空断熱材
１１，３１，４１  芯材
１２，１２ａ，１２ｂ  外被材
１３，２１，２３，２６，４２  熱溶着部
１６  熱板
２０，２２，２５，３０，３５，４０  真空断熱材
３２ａ，３２ｂ  熱溶着部
３３，３６  貫通孔
４５  溶断部
５０，６０，７０，８０，９０，１００，１１０，１２０，１３０  真空断熱材
５０ａ，５０ｂ，５０ｃ，５０ｄ  折曲線
５１，１４１，１５１，１６１，１７１，１８１，１９１，２０１  芯材
５２  外被材
５３，７３，８３，９３，１０３，１１３，１２３，１３３，１４３  熱溶着部
６０ａ，６０ｂ，６０ｃ，６０ｄ  折曲線
７４，７４ａ，９５，１１５，１３６，１８４  非熱溶着部
８４，９４，１２５，１３５，１５４，１６４  孔
１０４，１１４，１２４，１３４  シート部材
１４０，１５０，１６０，１７０，１８０，１９０，２００  真空断熱材
１４０ａ，１４０ｂ，１４０ｃ  折曲線
１５０ａ，１５０ｂ，１５０ｃ  折曲線
１５３１７１２３，１７３，１８３，１９３，２０３  熱溶着部
１６０ａ，１６０ｂ，１６０ｃ  折曲線
１７０ａ，１７０ｂ  折曲線
１８０ａ，１８０ｂ，１８０ｃ，１８０ｄ  折曲線
１９０ａ，１９０ｂ，１９０ｃ  折曲線
２００ａ，２００ｂ，２００ｃ，２００ｄ  折曲線
２１０  防寒具
２１１  衣類（ジャケット）
２２０  パーソナルコンピューター
２２１  キーボード
２２１ａ  キーボード裏面
２２２  プリント基板
２２３  ＣＰＵ
２２４  放熱装置
２３０  本体底面
２３１  真空断熱材
【図１】
0003559035.tif 000002
【図２】
0003559035.tif 000003
【図３】
0003559035.tif 000004
【図４】
0003559035.tif 000005
【図５】
0003559035.tif 000006
【図６】
0003559035.tif 000007
【図７】
0003559035.tif 000008
【図８】
0003559035.tif 000009
【図９】
0003559035.tif 000010
【図１０】
0003559035.tif 000011
【図１１】
0003559035.tif 000012
【図１２】
0003559035.tif 000013
【図１３】
0003559035.tif 000014
【図１４】
0003559035.tif 000015
【図１５】
0003559035.tif 000016
【図１６】
0003559035.tif 000017
【図１７】
0003559035.tif 000018
【図１８】
0003559035.tif 000019
【図１９】
0003559035.tif 000020
【図２０】
0003559035.tif 000021
【図２１】
0003559035.tif 000022
【図２２】
0003559035.tif 000023
【図２３】
0003559035.tif 000024
【図２４】
0003559035.tif 000025
【図２５】
0003559035.tif 000026
【図２６】
0003559035.tif 000027
【図２７】
0003559035.tif 000028
【図２８】
0003559035.tif 000029
【図２９】
0003559035.tif 000030
【図３０】
0003559035.tif 000031
【図３１】
0003559035.tif 000032
【図３２】
0003559035.tif 000033
【図３３】
0003559035.tif 000034
【図３４】
0003559035.tif 000035
【図３５】
0003559035.tif 000036
【図３６】
0003559035.tif 000037
【図３７】
0003559035.tif 000038
【図３８】
0003559035.tif 000039
【図３９】
0003559035.tif 000040
【図４０】
0003559035.tif 000041
【図４１】
0003559035.tif 000042
【図４２】
0003559035.tif 000043
【図４３】
0003559035.tif 000044